(57)【特許請求の範囲】
【請求項１】
遊技領域が形成された遊技盤と、該遊技盤の裏面側に設けられ内部を転動する遊技球と接触可能な導電性の球接触部分を有し且つ遊技球の払出機構を有する機構部と、前記遊技盤を収容する前面枠と、前記遊技盤の前面側に設けられ発射される遊技球を前記遊技領域に誘導する導電性の誘導レールと、発射される遊技球を前記誘導レールに誘導する導電性の発射レールと、を備えた遊技機において、
前記前面枠に取り付けられて前記誘導レールと電気的に接続可能な導電性のレール導電部材と、前記機構部の球接触部分を電気的に接続するための電気的接続部と、を設け、
前記誘導レールは、一旦前記遊技領域に誘導された遊技球が跳ね返りによって再度発射位置方向へ戻るバック球を防止するためのバック球防止部材を備え、
前記レール導電部材は、前記遊技盤を前記前面枠に収容させることで前記誘導レール、前記発射レール、及び前記バック球防止部材と電気的に接続され、該接続により前記誘導レールと前記機構部の球接触部分とが電気的に接続されることを特徴とする遊技機。
【請求項２】
前記誘導レールは、前記発射レールから発射された遊技球を前記遊技領域へ誘導するための外レールと該外レールと共に前記遊技領域を形成する内レールとによって構成され、
前記バック球防止部材の遊技球と接触可能な位置には、導電性の弾性薄片を備え、
該弾性薄片により前記内レールと前記外レールとを電気的に接続することを特徴とする請求項１記載の遊技機。
【請求項３】
前記前面枠は、前記遊技機の前面に設けられる球貯留部に前記払出機構が払い出した遊技球を導く導電性の球誘導部を備え、該球誘導部と前記レール導電部材とを電気的に接続し、かつ前記球誘導部と前記機構部の球接触部分とを電気的に接続することにより、前記球誘導部を介して前記レール導電部材と前記機構部の球接触部分とを電気的に接続したことを特徴とする請求項１又は請求項２記載の遊技機。
【請求項４】
前記機構部の球接触部分を形成する機構部主体は、導電性樹脂で成形されていることを特徴とする請求項１乃至請求項３のいずれかに記載の遊技機。
【請求項５】
前記導電性樹脂は、ステンレスフィラーを含有した樹脂からなることを特徴とする請求項４記載の遊技機。
【請求項６】
前記遊技盤に導電接続部材を設けると共に、導電性を有し前記遊技領域を流下する遊技球が衝突する導電性部材と前記誘導レールとを前記導電接続部材と電気的に接続するように前記遊技盤に取り付けたことを特徴とする請求項１乃至請求項５のいずれかに記載の遊技機。
【発明の詳細な説明】
【０００１】
【発明の属する技術分野】
本発明は、遊技領域が形成された遊技盤と、該遊技盤の裏面側に設けられ内部を転動する遊技球と接触可能な導電性の球接触部分を有し且つ遊技球の払出機構を有する機構部と、前記遊技盤を収容する前面枠と、前記遊技盤の前面側に設けられ発射される遊技球を前記遊技領域に誘導する導電性の誘導レールと、を備えた遊技機に関するものである。
【０００２】
【従来の技術】
従来より、遊技機としての弾球遊技機では、金属製の遊技球を用いて遊技を行うようになっており、遊技盤の前面側（例えば、遊技領域に遊技球を誘導する誘導レール等）、裏面側（例えば、機構部に形成された球通路等）に拘わらず、遊技球が接触したり、あるいは遊技球同士が衝突することで、遊技球の表面には高い電位の静電気が帯電するようになっていた。また、このような遊技球に帯電した静電気は、弾球遊技機内に設けられる導電性を有する部材との接触によって放電し、その放電が弾球遊技機内の制御回路等の電気機器に対するノイズとなって電気機器を誤動作させる虞があった。これを防止するため、従来では、遊技球が接触する各種構成部材に接地部を設けることで、弾球遊技機の内部に帯電した静電気を外部に放電除去するようになっていた。
【０００３】
【発明が解決しようとする課題】
ところが、上記従来の構成では、遊技盤の前面側に設けられる導電性を有する球接触部分（例えば、誘導レール等）と、遊技盤の裏面側に設けられる導電性を有する球接触部分（例えば、機構部に形成された球通路等）とは電気的に接続された構成とはなっておらず、個々に接地部を設けて静電気を外部に放電除去するようになっていた。しかしながら、このような構成では、遊技盤前面側の球接触部分（誘導レール）に対する接地作業と遊技盤裏面側の球接触部分（機構部内の球接触部分）に対する接地作業とを個々に行う必要があったため、接地における作業性が低下していた。本発明は、上記した事情に鑑みなされたもので、その目的とするところは、遊技盤前面側の球接触部分となる誘導レールと遊技盤裏面側の球接触部分となる機構部の球接触部分とを電気的に接続可能にすることで、遊技機全体としての接地における作業性を向上することができる遊技機を提供することにある。
【０００４】
【課題を解決するための手段】
上記目的を達成するために、請求項１の発明においては、遊技領域が形成された遊技盤と、該遊技盤の裏面側に設けられ内部を転動する遊技球と接触可能な導電性の球接触部分を有し且つ遊技球の払出機構を有する機構部と、前記遊技盤を収容する前面枠と、前記遊技盤の前面側に設けられ発射される遊技球を前記遊技領域に誘導する導電性の誘導レールと、発射される遊技球を前記誘導レールに誘導する導電性の発射レールと、を備えた遊技機において、前記前面枠に取り付けられて前記誘導レールと電気的に接続可能な導電性のレール導電部材と、前記機構部の球接触部分を電気的に接続するための電気的接続部と、を設け、前記誘導レールは、一旦前記遊技領域に誘導された遊技球が跳ね返りによって再度発射位置方向へ戻るバック球を防止するためのバック球防止部材を備え、前記レール導電部材は、前記遊技盤を前記前面枠に収容させることで前記誘導レール、前記発射レール、及び前記バック球防止部材と電気的に接続され、該接続により前記誘導レールと前記機構部の球接触部分とが電気的に接続されることを特徴とする。このように構成することにより、遊技盤を前面枠に収容するという簡単な作業で、遊技盤前面側の球接触部分となる誘導レールと遊技盤裏面側の球接触部分となる機構部の球接触部分とを電気的に接続して、機構部の球接触部分と誘導レールとを同電位にすることができ、ひいては遊技機全体としての接地における作業性を向上することができる。また、発射レールを誘導レールと電気的に接続することができるので、遊技球が発射レールから誘導レールに移る際の静電気の放電を防止することができる。
【０００５】
また、請求項２の発明においては、前記誘導レールは、前記発射レールから発射された遊技球を前記遊技領域へ誘導するための外レールと該外レールと共に前記遊技領域を形成する内レールとによって構成され、前記バック球防止部材の遊技球と接触可能な位置には、導電性の弾性薄片を備え、該弾性薄片により前記内レールと前記外レールとを電気的に接続することを特徴とする。このように構成することにより、内レールと外レールとをバック球防止部材を介して電気的に接続することができると共に弾性薄片を押し開くための慣性モーメントが小さくて済むので、遊技球の勢いを弱める度合いを小さくすることとなり、電気的接続を確保しながら遊技球への悪影響を更に抑制することができる。
【０００６】
また、請求項３の発明においては、前記前面枠は、前記遊技機の前面に設けられる球貯留部に前記払出機構が払い出した遊技球を導く導電性の球誘導部を備え、該球誘導部と前記レール導電部材とを電気的に接続し、かつ前記球誘導部と前記機構部の球接触部分とを電気的に接続することにより、前記球誘導部を介して前記レール導電部材と前記機構部の球接触部分とを電気的に接続したことを特徴とする。このように構成することにより、誘導レールと機構部の球接触部分との電気的な接続を、レール導電部材及び球誘導部を介して具現化することができ、ひいては遊技機の表裏で同電位にできる。然も、この構成によれば、個別に接続用の導電部を設ける必要がないので、部品点数の削減が招来できる。
【０００７】
また、請求項４の発明においては、前記機構部の球接触部分を形成する機構部主体は、導電性樹脂で成形されていることを特徴とする。このように構成することにより、取り分け機構部に導電性の部材を取り付けなくても機構部自体に導電性を持たせることができ、ひいては機構部の軽量化を招来することができる。
【０００８】
また、請求項５の発明においては、前記導電性樹脂は、ステンレスフィラーを含有した樹脂からなることを特徴とする。このように構成することにより、機構部を構成するステンレスフィラーの特性から機構部への静電気の流れ込みを徐々に行わせることができ、ひいては急激な電位の変化に起因する急激な放電を防止することができる。
【０００９】
また、請求項６の発明においては、前記遊技盤に導電接続部材を設けると共に、導電性を有し前記遊技領域を流下する遊技球が衝突する導電性部材と前記誘導レールとを前記導電接続部材と電気的に接続するように前記遊技盤に取り付けたことを特徴とする。このように構成することにより、遊技領域内に打ち込まれた遊技球の静電気も導電接続部材及び誘導レールを介して機構部の電気的接続部に送り込むことができる。
【００１０】
【発明の実施の形態】
以下、図面を参照して、本発明の実施形態について説明する。先ず、図１及び図３を参照して遊技機としての弾球遊技機１の全体の構成について説明する。図１は、実施形態に係る弾球遊技機１の正面図であり、図３は、弾球遊技機１の背面図である。
【００１１】
弾球遊技機１は、縦長な方形状に枠組み形成される外枠２と、該外枠２の一側に開閉自在に軸支され且つ弾球遊技機１の主要構成部のほぼすべてが集約して設けられる前面枠３と、該前面枠３の前面上部に開閉自在に設けられる前面開閉枠（透明板保持枠）４とから構成されている。また、前面枠３に設けられる主要構成部としては、上記した前面開閉枠４、遊技盤４０、上皿１９、下皿２７、灰皿２９、操作ハンドル３０、機構板１００、打球発射装置８７がある。また、図示の実施形態では、弾球遊技機１の側方に遊技者に遊技球を貸し出すためのカードユニット装置３１が付設されている。
【００１２】
前面開閉枠４には、後述する遊技盤４０の遊技領域４１をほぼ透視し得る円形透視窓５が開設され、該円形透視窓５の裏面からガラス板５ａが装着されている。また、前面開閉枠４の上側には、円形透視窓５の外周に沿って、装飾ランプ６〜８及び装飾ＬＥＤ１３，１４が設けられている。この装飾ランプ６〜８及び装飾ＬＥＤ１３，１４は、遊技状態に応じて点灯又は点滅されるものであり、特別の遊技状態の発生時や継続時を遊技者に報知すると共に遊技の雰囲気を盛り上げるものである。また、円形透視窓５の外周には、払い出すべく賞球が不足したこと（後述する球切れスイッチ１１５が作動したとき）を報知する球切れランプ９や、入賞球の発生に基づいて所定個数の賞球が払い出されたことを報知する賞球ランプ１０（なお、賞球未払出分がある場合に報知する方式でもよい）が設けられ、更に、前面開閉枠４の上部左右に遊技の進行に応じた効果音を発生するスピーカ１２ａ，１２ｂが設けられている。なお、スピーカ１２ａ，１２ｂの前面には、網目状ネット１１が取り付けられてスピーカ１２ａ，１２ｂから発生される音声を通すようになっている。また、円形透視窓５の外周には、遊技盤４０に貼付される証紙を視認するための透視レンズ３９が設けられている。また、上記した装飾ランプ６〜８、球切れランプ９、賞球ランプ１０、装飾ＬＥＤ１３，１４は、図５に示すように、それぞれプリント配線基板で構成されるランプ基板６ａ，７ａ，８ａ，９ａ，１０ａに実装されて前面枠３の前面側に取り付けられている。
【００１３】
次に、前面開閉枠４の下側に取り付けられる上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、スプリング（図示しない）の付勢力に抗して一方向に移動させることにより、上皿１９に貯留されていた遊技球を裏面側に形成される球抜き通路２８６（図１７参照）を流下させて下皿２７に誘導するものである。
【００１４】
上記した上皿１９について、さらに詳細に説明すると、上皿１９は、その上流側に形成される賞球払出口２０から払い出された遊技球を一旦貯留した後、発射位置に遊技球を供給するものである。また、上皿１９には、弾球遊技機１に隣接して設けられるカードユニット装置３１を介して遊技球を借り受ける際に操作する操作部が設けられている。この操作部は、球貸スイッチ２４と返却スイッチ２５（共に図１７参照）とが実装される残高表示基板２３（図５参照）からなり、該残高表示基板２３が上皿１９の上面に臨むように設けられている。また、上皿１９の開放側には、前面開閉枠４を前面枠３に対して施錠し且つ前面枠３を外枠２に対して施錠する施錠装置８４を操作するためのシリンダー錠２６が臨んでいる。
【００１５】
また、前面枠３の下部に取り付けられる下皿２７は、前記上皿１９から溢れた遊技球であって後述する接続樋１５から排出される余剰の遊技球を貯留するものであり、その下皿２７の前面壁には、球抜き操作レバー２８がスライド可能に取付けられるようになっている。この球抜き操作レバー２８を操作することにより、下皿２７に貯留されていた遊技球を下方に球抜きして持ち運び可能な球箱に移し替えることができる。また、下皿２７の左側には、灰皿２９が設けられ、右側には、操作ハンドル３０が設けられている。操作ハンドル３０は、図３に示す打球発射装置８７のステッピングモータ８８の駆動を開始せしめる単発発射スイッチ及びタッチセンサ（共に図示しない）を内蔵していると共に弾発力を調節するものである。なお、打球発射装置の駆動源は、ステッピングモータに限らず、シンクロナスモータやソレノイド等であってもよい。
【００１６】
弾球遊技機１の正面構造は、概ね上記した通りであるが、図示の実施形態では、弾球遊技機１にカードユニット装置３１が隣接されている。このカードユニット装置３１は、前記上皿１９の上面に設けられる前述した球貸スイッチ２４や返却スイッチ２５等の操作部を操作することにより作動されるものである。しかして、カードユニット装置３１は、使用可能状態であるか否かを表示する使用可能表示器３２と、当該カードユニット装置３１がいずれの側の弾球遊技機１に対応しているか否かを表示する連結台方向表示器３３と、記録媒体としての磁気カードを挿入するカード挿入口３４とが設けられている。そして、このように構成されるカードユニット装置３１は、独自の制御回路によって制御されるものであるが、図４に示すように、後述する払出制御基板１４４とカードユニット配線３５を介して接続されている。なお、カードユニット配線３５は、その一端が払出制御基板１４４のコネクタ１４４ｂに接続され、他端がカードユニット装置３１のコネクタ３１ａに接続されるものである（図３６参照）。
【００１７】
一方、弾球遊技機１の背面には、図３に示すように、入賞球の発生に基づいて所定個数の賞球を払い出すための各種の機構を装備した機構板１００が設けられると共に、前記操作ハンドル３０に対応する裏面には、打球発射装置８７が固着され、その打球発射装置８７の側方には、機構板１００の余剰球通路１２８を流下する遊技球を前記下皿２７に誘導する接続樋１５が固着されている。なお、接続樋１５は、後で詳述する導電性樹脂で成形されている。上記した構成のうち、打球発射装置８７には、発射制御基板９０が付設されており、この発射制御基板９０によって打球発射装置８７が駆動制御されるようになっている。また、発射制御基板９０は、基板ボックス８９によって被覆されている。
【００１８】
以上で、弾球遊技機１の全体の概略構成を説明したが、以下、弾球遊技機１を構成する要素のうち、遊技盤４０と、機構板１００の詳細な構成について順次説明する。先ず、主に図２を参照して遊技盤４０について説明する。遊技盤４０は、前面枠３の裏面側に一体的に形成される遊技盤収納枠３６（図３参照）に収納固定されるべく、ほぼ正方形状の合板により形成され、その表面には、円形うず巻き状に誘導レール４２が取り付けられ、該誘導レール４２の内側が遊技領域４１とされ、発射される遊技球が誘導レール４２を転がり遊技領域４１に誘導された後に落下するものである。遊技領域４１には、図示の場合、特別可変表示装置４４、特別可変入賞球装置４８、普通可変入賞球装置５８、普通可変表示装置６１等が設けられると共に、単に遊技球を入賞とする入賞口、遊技球の流下方向，速度を変化せしめる風車又は多数の障害釘が設けられ、また、遊技領域４１の最下方には、いずれの入賞領域にも入賞しない遊技球が取り込まれるアウト口６９が設けられている。
【００１９】
遊技領域４１の構成をその遊技動作に従ってより詳細に説明すると、遊技領域４１の中央よりやや下方の左側に設けられる普通可変表示装置６１は、遊技領域４１を落下する遊技球の通過を検出する通過球検出器６２と、該通過球検出器６２の検出信号に基づいて可変表示して表示結果を導出する普通図柄表示器６３と、普通図柄表示器６３の可変表示中に通過球検出器６２を通過した遊技球数を記憶表示する普通図柄記憶ＬＥＤ６４（最高４個まで記憶表示する）とが設けられている。しかして、普通図柄表示器６３の表示結果が予め定められた当り図柄（０〜９までの数字の可変表示において、７が表示された場合）である場合に、普通可変入賞球装置５８が所定時間開放される。なお、普通図柄表示器６３の可変時間は、通常確率モードのときに相対的に長く（例えば、３０秒）、確率変動モードのときに相対的に短く（例えば、３〜５秒）設定されている。
【００２０】
普通可変入賞球装置５８は、遊技領域４１のほぼ中央に配置される特別可変表示装置４４と遊技領域４１の前記アウト口６９の上部に配置される特別可変入賞球装置４８との間に配置され、ソレノイド５９によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、遊技球が始動球検出器６０によって検出されると特別可変表示装置４４が可変表示を開始する。なお、普通可変入賞球装置５８の開放時間は、通常確率モードのときに相対的に短く（例えば、０．５秒）、確率変動モードのときに相対的に長く（例えば、２秒）設定されている。また、普通可変入賞球装置５８が開放していない場合でも遊技球を受け入れるようになっている。
【００２１】
特別可変表示装置４４は、複数の図柄を可変表示する液晶タイプの可変表示器からなり、遊技領域４１のほぼ中央に配置される。そして、停止時における図柄の組合せが予め定めた大当り図柄の組合せ（例えば、同一の図柄が当りラインのいずれかに揃った場合）である場合に、特定遊技状態となって特別可変入賞球装置４８を次に説明する所定の態様で開閉駆動するものである。ただし、大当り図柄の組合せの一部は、確率変動図柄として設定され、この確率変動図柄で特定遊技状態となったときには、その特定遊技状態終了後における前記普通図柄表示器６３における当り図柄の出現確率や特別可変表示装置４４における大当り図柄の出現確率が高くなる確率変動モードとなるように設定されている。なお、特別可変表示装置４４は、遊技盤４０の表面側に取り付けられる飾り基板（符号なし）を備え、該飾り基板の上部に入賞球検出器４７ａを内蔵する通常入賞口４７が形成され、その通常入賞口４７の下部及び可変表示器を囲むように飾りＬＥＤ４５が取り付けられ、更に、下部中央に特別可変表示装置４４の可変動作中に前記始動球検出器６０によって検出された遊技球の数を記憶表示する特別図柄始動記憶ＬＥＤ４６（最高４個まで記憶表示する）が取り付けられ、更に、符号を付与しないが飾りランプ等も設けられている。
【００２２】
特定遊技状態となったときに駆動制御される特別可変入賞球装置４８は、ソレノイド５０によって開閉駆動される開閉板４９を有し、その開閉板４９に受け入れられた遊技球を検出する特定球検出器５１及び入賞個数検出器５２が設けられている。なお、開閉板４９に受け入れられた遊技球は、特定球検出器５１及び入賞個数検出器５２のいずれかで１回だけ検出されるようになっている。しかして、特定遊技状態となった場合には、一定時間（例えば、２８秒）が経過するまで又はその一定時間内に所定個数（例えば、１０個）の入賞球が入賞するまで開閉板４９を開放（以下、この開放を開放サイクルという）し、その開放サイクル中に受け入れられた遊技球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。なお、回数個数表示器５３は、開放サイクルと開放サイクルとの間のインターバル時間中に開閉板４９の開放回数を表示し、開放サイクル中に開閉板４９によって受け入れられた入賞球を表示するようになっている。更に、特別可変入賞球装置４８には、入賞球検出器５５ａ，５５ｂを内蔵する通常入賞口５４ａ，５４ｂや開閉板４９が開放していることを表示するアタッカーランプ５６や継続権が成立していることを表示する飾りランプ、及び特定遊技状態である旨を報知する飾りランプや飾りＬＥＤ５７が設けられている。
【００２３】
遊技領域４１には、上記した構成以外に、飾りランプ６５ｂ、入賞球検出器６５ａを内蔵する入賞口６５、飾りランプ６６ａ付き風車６６、サイド飾りランプ６７ａを内蔵するサイド飾り６７、後で詳述する導電性樹脂からなる風車２００等が設けられている。
【００２４】
遊技盤４０の遊技領域４１には、上記したようにスイッチやソレノイド、あるいは飾りランプや飾りＬＥＤ等の電気的部品が多数設けられるが、これらは、主基板１５１や電飾制御基板８０に接続されるようになっている。即ち、図５に示すように、遊技盤４０に設けられる各スイッチ４７ａ，５１，５２，５５ａ，５５ｂ，６０，６２，６５ａ及び各ソレノイド５０，５９は、主基板１５１に接続され、遊技盤４０に設けられる各種ランプ５６，６５ｂ，６６ａ，６７ａ、遊技盤４０に設けられる飾りＬＥＤ４５，５７、特別図柄始動記憶ＬＥＤ４６、普通図柄始動記憶ＬＥＤ６４は、電飾制御基板８０に接続されている。
【００２５】
一方、遊技盤４０の裏面には、図３に示すように、前記特別可変表示装置４４の裏面が突出して設けられている。この特別可変表示装置４４の裏面部分には、表示制御基板７５が表示制御基板カバー７４に被覆されて取り付けられている。表示制御基板７５は、特別可変表示装置４４の可変表示動作を主基板１５１からの情報信号の種類に応じて駆動制御するものである。
【００２６】
また、上記した特別可変表示装置４４裏面の周囲には、カバー体７０が取り付けられ、このカバー体７０に連通するようにその下部に入賞球誘導カバー体７１が取り付けられている。カバー体７０には、その中央に前記特別可変表示装置４４の裏面が貫通する窓孔７２が形成されると共に、情報端子基板７８が取り付けられている。情報端子基板７８は、弾球遊技機１の営業管理上必要な遊技情報（例えば、特定遊技状態中である旨を報知する大当り１情報、確率変動図柄で特定遊技状態となり、その特定遊技状態中及びその大当りによる確率変動中である旨を報知する大当り２情報（特定遊技状態中と確率変動中に出力され続ける信号）、確率変動図柄による特定遊技状態終了後の確率変動中である旨を報知する確率変動情報、始動球検出器をＯＮした遊技球の数を報知する始動口情報、特別可変表示装置４４の可変動作回数を報知する図柄確定回数１情報、普通可変表示装置の可変動作回数を報知する図柄確定回数２情報、及び普通可変入賞球装置の開閉回数を報知する役物回数情報）を遊技場に設置される管理コンピュータに出力するための外部接続端子を有し、これらの情報が主基板１５１から与えられるようになっている。
【００２７】
また、入賞球誘導カバー体７１の後面側には、電飾制御基板８０及び効果音制御基板８２を収容する制御基板ボックス７９が取り付けられている。電飾制御基板８０は、図５に示すように、遊技盤４０の遊技領域４１（必ずしも遊技領域４１の内部に設けられなくてもよく、遊技盤４０に設けられていれば良い）に設けられる飾りランプや飾りＬＥＤ、及び前面枠３や前面開閉枠４に設けられる飾りランプや飾りＬＥＤ等を主基板１５１からの情報信号に応じて一括して駆動制御するものである。また、効果音制御基板８２は、前記スピーカ１２ａ，１２ｂを駆動制御するものであり、主基板１５１からの情報信号に応じて遊技内容に対応した効果音を発生させるものである。また、効果音制御基板８２には、音量を切り替える音量スイッチ８３が設けられている。
【００２８】
以上、遊技盤４０の構成について詳細に説明してきたが、上記のように構成される遊技盤４０は、図３に示すように、前面枠３の裏面側に形成される遊技盤収納枠３６に収納固定されるようになっている。遊技盤収納枠３６は、周知のように、ほぼ正方形状に構成される遊技盤４０を収容するように前面枠３の裏面に段差状に形成され、収容した遊技盤４０の裏面を押圧固定するための遊技盤係止レバー８６が遊技盤収納枠３６の適宜箇所に取り付けられている。また、遊技盤４０を遊技盤係止レバー８６によって収納固定した状態においては、その裏面から機構板１００が被覆されることとなるが、その機構板１００は、遊技盤収納枠３６の一側側面に固定される上下一対のヒンジ金具８５に突設される軸ピン８５ａ（図１５参照）に機構板１００の一側に固定される補強ヒンジ部材９１の上下の掛止穴９２ａ（図６参照）を係止することにより、開閉自在に軸支される。
【００２９】
次に、弾球遊技機１の背面に設けられる機構板１００の構成について図３、図６乃至図１２を参照して説明する。図３において、機構板１００は、遊技球を貯留する貯留タンク１０５と、該貯留タンク１０５に貯留された賞球を下流側に整列しながら誘導する球整列レール部材１０８及びカーブレール部材１１１と、が設けられる上部構成部、カーブレール部材１１１からの遊技球を誘導する球通路１１４と、入賞に基づく賞球を払い出す球払出装置１１６と、が設けられる中間構成部、主として遊技盤４０に打ち込まれた入賞球を含む遊技球を処理する処理機構が設けられる下部構成部、から構成されており、これらの各構成部が、図６に示すように、開口窓１０２を構成するように機構板主体１０１上に一体的に形成されている。また、機構板１００の強度を高めるために開口窓１０２の軸支側に上部構成部と下部構成部とに亘って取り付けられる補強ヒンジ部材９１がビス止めされている。補強ヒンジ部材９１は、金属からなると共にその上下両端に折曲形成された取付片９２の掛止穴９２ａに前記ヒンジ金具８５の軸ピン８５ａが係止されることで、機構板１００を前面枠３に対して開閉自在に軸支するようになっている。
【００３０】
貯留タンク１０５は、図７に示すよにう、上面が開放したボックス状に形成されると共に、その底面の下流側に球整列レール部材１０８と連通する落下口１５２が開設され、該落下口１５２の一側に球詰まりを防止する球崩し部１５３が隆起形成されている。また、球崩し部１５３の上部の傾斜底面には、揺動自在に軸支されて図示しないバネにより上方向に付勢される球切れ情報検知レバー１０６（図４参照）が設けられ、該球切れ情報検知レバー１０６の下方に、球切れ情報スイッチ１０７（図３参照）が固定されている。この球切れ情報スイッチ１０７は、後述する情報端子基板１３２に接続されて貯留タンク１０５内に遊技球が不足したときに管理コンピュータに球切れ信号を出力するようになっている。また、球崩し部１５３の壁面には、導電性を有するタンク用接触部材１５４が取り付けられる。なお、貯留タンク１０５は、後で詳述するような導電性樹脂で成形されており、その後面壁には放電用配線１５５の一端がビス１５５ａ止めされている。また、放電用配線１５５の他端は、図８に示すように、補強ヒンジ部材９１の上端部分にビス１５５ｂ止めによって接続されている。これにより、タンク用接触部材１５４は、貯留タンク１０５と放電用配線１５５とを介して補強ヒンジ部材９１に電気的に接続されている。また、補強ヒンジ部材９１の上端部分には、アース線１５８がビス１５８ａ止めによって接続されている。一方、補強ヒンジ部材９１の下端部分には、図９に示すように、２本の放電用配線１５６，１５７がそれぞれビス１５６ａ，１５７ａ止めによって接続されている。このうち放電用配線１５６は、後述する下皿誘導用接触部材１３４及び上皿誘導用接触部材１３５にビス１５６ｂ止めによって接続され（図１１参照）、放電用配線１５７は、払出制御基板１４４のコネクタ１４４ａに接続されるようになっている（図１２参照）。
【００３１】
球整列レール部材１０８の下流側上部には、球ならし部材１０９が揺動自在に垂下して設けられ、該球ならし部材１０９によって上下方向で複数段となって流下する遊技球を１段とするようになっている。また、球整列レール部材１０８の下流側には、カーブレール部材１１１が接続される。なお、球整列レール部材１０８の下流側上方には、外部との信号線が接続される外部接続端子１３３を有する情報端子基板１３２が設けられる。情報端子基板１３２に設けられる外部接続端子１３３としては、外部（例えば、管理コンピュータ）と弾球遊技機１との間の信号線を接続する球切れ情報出力端子と球貸情報出力端子と賞球情報出力端子があり、情報端子基板１３２には、更に、前記球切れ情報スイッチ１０７、主基板１５１、及び払出制御基板１４４が個々に接続されるコネクタが設けられている。また、外部接続端子１３３の下方には、後述する電源ユニット基板１３７から延びる電源線１１８と前記アース線１５８とを機構板１００の裏面側に引き出すための開口１１９が穿設されている。
【００３２】
カーブレール部材１１１の下流側には、垂直状に球通路部材が設けられる。具体的には、左右２列の球通路１１４から球通路部材が構成され、該２列の球通路１１４には、それぞれ球切れスイッチ１１５が通路に臨むように設けられている。この球切れスイッチ１１５は、図５に示すように、主基板１５１に接続され、球切れスイッチ１１５が遊技球を検出しなくなったときには、球払出装置１１６の作動を停止して遊技球の払出を不能動化させるようになっている。球払出装置１１６は、ほぼ直方体形状をなすケースの内部に収納されて機構板主体１０１の前面側に着脱自在に取り付けられるようになっている。
【００３３】
次に、機構板１００の下部構成部について説明すると、下部構成部は、図４に示すように、背面から見てその右側部分に払出制御基板１４４を収容する払出制御基板ボックス１４３が取り付けられ、背面から見てその左側部分に電源ユニット基板１３７を収容する電源ユニットボックス１３６が取り付けられている。電源ユニット基板１３７は、電源線１１８を介して供給される外部電圧（ＡＣ２４Ｖ）から、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。機構板１００の下部構成部の一側上部には、図１０に示すように、賞球通路１２６が形成され、該賞球通路１２６の下端には、上皿１９に遊技球を導くための上皿連通口１２７が形成されている。なお、上皿連通口１２７の中間位置には、仕切板部１２７ａが設けられ、これによって上皿連通口１２７から前記賞球払出口２０を介して上皿１９に払い出される遊技球の勢いを減少させるようになっている。また、上皿連通口１２７の一側側方には、連絡通路１３０が形成されており、その連絡通路１３０の下流には、余剰球通路１２８が接続されている。連絡通路１３０の内壁部分には、その通路形状に沿って下皿誘導用接触部材１３４が設けられ、連絡通路１３０の背面には、連絡通路１３０を被覆するようにして上皿誘導用接触部材１３５が取り付けられている。上皿誘導用接触部材１３５の上端部分には、球払出装置１１６から払い出された遊技球を上皿連通口１２７に導く球誘導突起部１３５ａが折曲形成され、その球誘導突起部１３５ａの後側の折曲凹部には、合成樹脂製の誘導突起部材１３１が嵌入して設けられる。なお、誘導突起部材１３１は、後述する下部通路カバー体１３８にビス止めして取り付けられる。また、各接触部材１３４，１３５は、図１１に示すように、個々に形成された取付片部１３４ｂ，１３５ｂに前記放電用配線１５６の一端がビス１５６ｂ止めされることで補強ヒンジ部材９１と電気的に接続されるようになっている。また、下皿誘導用接触部材１３４の下端部分は、下皿誘導用接触部材１３４を機構板１００に取り付けた状態で機構板１００の下端から外部に露出し（図６参照）、且つ前記接続樋１５と当接する当接片部１３４ａとして形成されている。これにより、各接触部材１３４，１３５は、導電性を有する接続樋１５と電気的に接続されるようになっている。
【００３４】
しかして、入賞に基づく賞球が多数払い出されて上皿１９が賞球及び貸球で満杯となり、遂には上皿連通口１２７に到達してさらに賞球が払出続けられたときには、賞球及び貸球は、連絡通路１３０を介して余剰球通路１２８に導かれ、その後、前記接続樋１５を介して下皿２７に排出される。そして、さらに賞球が払出続けられたときには、下皿２７も満杯になるが、余剰球通路１２８の一側側壁に設けられる満タンスイッチ１２９（図３参照）がＯＮされ、球払出装置１１６の駆動を停止して賞球及び貸球の払出動作を不能動化する。
【００３５】
また、上記した賞球通路１２６、余剰球通路１２８、及び連絡通路１３０の後面は、機構板主体１０１に取り付けられる下部通路カバー体１３８によって覆われる。また、下部通路カバー体１３８には、満タンスイッチ１２９との干渉を避けるための開口１３９と、払出制御基板ボックス１４３を取り付けるための取付リブ１４０ａ、止着ボス１４０ｂ、係止爪１４０ｃと、機構板主体１０１の前面から背面側に配線を引き出すための開口部１４１と、が形成されている。
【００３６】
ところで、以上説明した機構板１００（機構板主体１０１）は、極細ステンレスファイバーをフィラーとするスチレン系樹脂からなる導電性樹脂で成形されている。従来では、乾燥した状態において遊技球が循環使用されているうちに、機構板に静電気が帯電し、その静電気が遊技動作を制御する制御回路に悪影響を及ぼして誤動作を生じさせるという欠点があった。これに対して、本実施形態では、機構板１００を導電性性樹脂で成形し、然も後で詳述するような各接触部材を設けることで、機構板１００に静電気が帯電するのを防止し、ひいては静電気による制御回路の誤動作を防止するようになっている。極細ステンレスファイバーをフィラーとするスチレン系樹脂は、少ないフィラー添加量で温度や湿度等の環境変化に対しても変わらず高いシールド効果を発揮することができ、然も着色が自由にできるという特徴を有している。また、このようなスチレン系樹脂は、流動性にも優れて成形加工性が良いので、通常のＡＢＳ樹脂と同様な条件で射出成形でき、結果として良好な外観の成形品を得ることができる。
【００３７】
また、機構板１００を成形する導電性樹脂（スチレン系樹脂）は、不透明な樹脂であり、機構板１００に形成された各球通路（例えば、賞球通路１２６等）の裏面部分には、その球通路に沿って図示しない切込部が穿設されている。このため、機構板１００に形成された各球通路を遊技球が流下する場合、切込部を通してその遊技球の流れが外部から視認できるようになっている。また、本実施形態では、上記した機構板主体１０１のみならず、機構板１００で使用する所定の合成樹脂部品（例えば、接続樋１５、貯留タンク１０５、球整列レール部材１０８、カーブレール部材１１１、球払出装置１１６のケース等）を導電性樹脂で成形している。なお、実施形態中では、導電性樹脂をスチレン系樹脂としているが、これに限定するものではない。例えば、成形が容易で安価なＡＢＳあるいはＰＰ（ポリプロピレン）、耐磨耗性に優れたＰＣ（ポリカーボネート）等を導電性樹脂として用いて機構板１００等の合成樹脂部品を成形してもよい。
【００３８】
ここで、配線接続される回路構成について図５を参照して説明すると、主基板１５１には、遊技盤４０に設けられる各球検出器（スイッチ）４７ａ，５１，５２，５５ａ，５５ｂ，６２，６５ａ及び始動球検出器６０、また、満タンスイッチ１２９及び球切れスイッチ１１５、更に、払い出された賞球を検出する賞球カウントスイッチ１２０からの信号が入力されるものである。
【００３９】
また、主基板１５１は、遊技盤４０に設けられるソレノイド５０，５９を駆動制御すると共に、外部情報端子７８へ遊技情報を出力する。また、主基板１５１は、電飾制御基板８０、効果音制御基板８２、表示制御基板７５、払出制御基板１４４と接続され、制御信号を主基板１５１から各制御基板８０，８２，７５，１４４への一方向通信によりそれぞれ出力する。電飾制御基板８０は、主基板１５１から入力される電飾制御信号に応じて、各種ランプ６〜１０，５６，６５ｂ，６６ａ，６７ａ及び各種ＬＥＤ４５，５７を表示駆動制御し、効果音制御基板８２は、主基板１５１から入力される効果音制御信号に応じてスピーカ１２ａ，１２ｂを駆動制御する。また、表示制御基板７５は、主基板１５１から入力される表示制御信号に応じて特別可変表示装置４４（図５中には、特別図柄表示器と記載）及び普通図柄表示器６３の表示結果を導出するように制御する。払出制御基板１４４は、主基板１５１から入力される払出制御信号に応じて球払出装置１１６を駆動制御すると共に、発射制御基板９０へ発射制御信号を出力する。また、払出制御基板１４４は、カードユニット装置３１、残高表示基板２３と接続され、貸球払出の制御を行う。発射制御基板９０は、払出制御基板１４４からの発射制御信号に応じて発射装置８７の制御を行う。また、外部情報出力基板１３２は、主基板１５１、払出制御基板１４４と接続され、外部へ遊技情報を出力する。
【００４０】
次に、前面枠３の構成について図１３乃至図１８を参照して説明する。前面枠３は、合成樹脂によって一体成型されるものであり、図１３に示すように、上部の前面開閉枠４に対応する前面開閉枠対応板部３ａと、下皿２７、灰皿２９、及び操作ハンドル３０に対応する下皿対応板部３ｂとから構成されている。前面開閉枠対応部３ａと下皿対応板部３ｂとは、僅かな段差をもって形成されており、前面開閉枠対応部３ａのほぼ中央には、遊技盤４０の遊技領域４１が臨む開口１６０が開設されている。
【００４１】
また、前面開閉枠対応部３ａの前面側であって開口１６０の周辺には、前述した各種ランプ６〜１０を実装してなるランプ基板６ａ，７ａ，８ａ，９ａ，１０ａが取り付けられている。前面開閉枠対応板部３ａの一側上下には、連結蝶番１６１を収納固定する蝶番収納凹部１６２が形成されている。この連結蝶番１６１は、前面開閉枠４を開閉自在に軸支するものである。前面開閉枠対応板部３ａの下方部分は、板状の支持板部１６３として形成されており、その支持板部１６３の前面には、誘導ボックス部材１６４と発射レール１６５とが取り付けられている。また、支持板部１６３の一側（誘導ボックス部材１６４が取り付けられる側）上部には、上皿１９の賞球払出口２０と機構板１００の上皿連通口１２７とを連通する上皿流出用開口１６６が形成されている。
【００４２】
誘導ボックス部材１６４は、前面開閉枠４を開放したときに上皿流出用開口１６６から溢れ落ちる賞球が受け入れられる溢れ球入口１６７と、ファール球口１６８と、上皿１９から球抜きされた遊技球を受け入れる球抜き入口１６９と、を有し、それぞれの入口１６７〜１６９から流入してきた遊技球を支持板部１６３に形成される排出口１７０に取り込み、前面枠３の裏面下部に止着される接続樋１５を介して下皿２７に誘導するものである。
【００４３】
発射レール１６５は、上皿１９から供給された遊技球であって図示しない球供給装置から１個ずつ供給される遊技球をその下流端の発射位置に載置し、打球発射装置８７の後述する打球槌３００によって打ち出された遊技球を遊技盤４０の誘導レール４２に導くものである。なお、支持板部１６３の段部を構成する底面であって発射レール１６５の下流側の対応する部位には、上記した打球槌３００が臨む打球槌用開口１７１が形成されている。また、発射レール１６５の上流端と遊技盤４０の誘導レール４２の下流端との間には前記ファール球口１６８が配置され、遊技領域４１に到達することなく誘導レール４２を逆走した遊技球がファール球口１６８を介して誘導ボックス部材１６４に導かれるようになっている。なお、誘導ボックス部材１６４の上辺一側には、三角形状の発射球誘導板１７２が突設され、遊技盤４０の誘導レール４２下流端を転動する遊技球がガラス板５ａに衝突しないように案内している。
【００４４】
前面枠３の前面開閉枠対応板部３ａの正面構造は、概ね上記した通りであるが、下皿対応板部３ｂにおいては、そのほぼ中央に余剰球排出口１７３が開設され、軸支側に灰皿用凹部１７４が形成され、開放側に配線通し穴１７５が形成されている。余剰球排出口１７３は、下皿２７に余剰の賞球を払い出すための開口であり、灰皿用凹部１７４は、灰皿２９の回動動作が行えるようにするためのものであり、配線通し穴１７５は、操作ハンドル３０の内部に設けられる各種スイッチ類の配線を前面枠３の裏側に通すための開口である。
【００４５】
また、上記した下皿対応板部３ｂに取り付けられる下皿２７は、図１４に示すように、下皿セット板２７０と、該下皿セット板２７０の前面側に取り付けられる下皿主体２７１と、該下皿主体２７１の前面及び左右を覆う下皿カバー体２７２と、から構成されている。下皿セット板２７０は、そのほぼ中央に賞球出口２７３が形成され、その賞球出口２７３の後方に賞球誘導筒部２７４が後方に突出されている。この賞球誘導筒部２７４は、下皿対応板部３ｂのほぼ中央に開設される前記余剰球排出口１７３を貫通して前記接続樋１５に接続されるものである。また、賞球誘導筒部２７４の底面上には、導電性を有する下皿用接触部材２７５が取り付けられる。この下皿用接触部材２７５は、賞球誘導筒部２７４の底面を全体的に被覆する断面凹形状をなし、その後面側の片部に穿設された取付穴２７５ａが下皿セット板２７０に形成された取付ボス２７６にビス止めして取り付けられる。なお、上皿２７を下皿対応板部３ｂに組み付けた状態で、下皿用接触部材２７５は、余剰球排出口１７３の裏面に設けられる接続樋１５と当接して電気的に接続した状態となる。また、下皿セット板２７０の前面には、複数の取付嵌合ボス２７７が突設されている。この取付嵌合ボス２７７は、下皿カバー体２７２の嵌入ボス２７８と対応させてビス２７９で裏面から止着することにより、下皿セット板２７０と下皿カバー体２７２とを組み付けるものである。
【００４６】
また、上記した下皿用接触部材２７５及び前記下皿誘導用接触部材１３４と電気的に接続して設けられる接続樋１５は、これ以外にも、ヒンジ金具８５、打球発射装置８７を構成する後述の取付基板３０６、及び金属接続片２１０が電気的に接続されるようになっている。ヒンジ金具８５は、図１５に示すように、一端がビス２４０ａ止めされた放電用配線２４０の他端が、また、取付基板３０６は、一端がビス３５４止めされた放電用配線３５９（図３２及び図３３参照）の他端がそれぞれビス２４１を介して接続樋１５の裏面下端部に接続されている。なお、接続樋１５と金属接続片２１０との接続については後述するものである。
【００４７】
また、上記したヒンジ金具８５のビス２４０ａ止め部分には、放電用配線２４０以外にも放電用配線２４２の一端が共締めされる。この放電用配線２４２は、図１６に示すように、前記上皿流出用開口１６６の側方に穿設される配線通し開口２４３を通って前面枠３の前面側に引き出され、その他端がビス２４２ａ止めによって前記連結蝶番１６１の前面枠側取付部１６１ａと電気的に接続されている。一方、連結蝶番１６１の開閉枠側取付部１６１ｂには、放電用配線２４５の一端がビス２４５ａ止めされており、この放電用配線２４５の他端は、図１７に示すように、上皿１９に設けられる上皿用接触部材２８４にビス２４５ｂ止めによって電気的に接続されている。上皿１９は、上皿主体２８０と上皿カバー体２８１とをビス止めして組み付けた組付体から構成されている。上皿主体２８０は、賞球を貯留する貯留部２８２と該貯留部２８２に連通して賞球を一列に整列して発射位置に導く整列部２８３とが合成樹脂によって一体的に形成されたものであり、整列部２８３の底面には、金属製の上皿用接触部材２８４が取り付けられると共にその下流部に前記球抜き操作レバー２１と連動する球抜き弁２８５が設けられている。また、上皿主体２８０の裏面側には、球抜き操作レバー２１の操作に伴う球抜き弁２８５のスライド移動によって球抜きされた球を前記誘導ボックス部材１６４の球抜き入口１６９に導くための球抜き通路２８６が形成されている。
【００４８】
また、上記した前面枠３の裏面及び遊技盤４０の表面（遊技領域４１以外となる右下表面）には、図２、図３、及び図１３に示すように、当該弾球遊技機１を識別するための製造番号表となる識別用シール１６が貼付されている。このような識別用シール１６は、図示しないが主基板１５１等の電気基板にも貼付されるものである。識別用シール１６は、図１８（Ａ）に示すように、四角形状のシールからなり、上側部分には６桁の数字（図１８（Ａ）中には「００３９４０」の数字を例示）と、その下方に３つのアルファベット（図１８（Ａ）中には「ＡＢＣ」のアルファベットを例示）とが印字され、下側部分にはＱＲバーコード（２次元バーコード）が印刷されている。このＱＲバーコード（２次元バーコード）は、遊技機のリサイクル業者が読み取りメーカーからの問い合わせに対して何台リサイクルしたかを把握できるようにするための識別用情報である。なお、識別用シールは、図１８（Ａ）に示すもの（６桁の数字と３つのアルファベットとを印字する等）に限らず、図１８（Ｂ）に示す識別用シール１６’のように、７桁の数字（図１８（Ｂ）中には「００３９４００」の数字を例示）と４つのアルファベット（図１８（Ｂ）中には「ＡＢＣＤ」のアルファベットを例示）とを印字する等でもよく、然もＱＲバーコード（２次元バーコード）に限らず、他の識別用情報を記憶する媒体であってもよい。
【００４９】
また、上記した２次元バーコードの一般的な概要について説明すると、２次元バーコードには、大きく分けて２種類のものがある。１つは、従来の１次元バーコードを積み重ねたような形状のスタック型２次元バーコードであり、ＰＤＦ４１７等が代表的なコード体系である。このスタック型２次元バーコードは、スタートコード、データ、ストップコードという今までの１次元バーコードと同じ形態をしている。また、スタック型２次元バーコードは、今までの１次元バーコードを重ねた形状なので、従来のＣＣＤタッチスキャナ、レーザースキャナに解読ソフトを入れれば読み取ることも可能である。
【００５０】
もう１つは、黒い点を並べたような形状のマトリックス型２次元バーコードであり、データマトリックス、ＱＲコード、マキシコード等が代表的なコード体系である。このマトリックス型２次元バーコードは、切り出しマークを持っている場合が多く、四角の中にセルを格子状に配列して情報としている。マトリックス型２次元バーコードを読み取らせるためには、ＣＣＤ、ビデオカメラ等を使用する場合が多いので、バーコードを３６０度の方向でも読み取ることができる。以上のようなスタック型２次元バーコード及びマトリックス型２次元バーコードには、それぞれ特徴があり、アプリケーションによってどのコード体系を使用するかを決定しなければならない。
【００５１】
また、２次元バーコードの各コード体系における最大印刷文字数を以下の表１に示す。
【００５２】
【表１】
0004748899.tif 000002
【００５３】
また、２次元バーコードを読み取るための２次元バーコードリーダーには、２種類のものがある。１つは、レーザー光線を当てるタイプである。これは、ＰＤＦ４１７専用に使用されているバーコードリーダーであり、上から順番に読み取るので最大桁数を読み取ることができる。しかし、マトリックスコード（データマトリックス、ＱＲコード他）を読み取ることはできない。また、読み取る速度も非常に遅く、バーコードに当てた瞬間に瞬時に読み取れるわけでもない。もう１つは、ＣＣＤ方式である。ＣＣＤ方式は、画像認識方式なので、全てのバーコード体系を読み取ることができる。しかし、ＣＣＤには、読み取れるエリアが決まっているので、読み取れるエリアより大きなバーコードは読み取ることができない。一般的に、バーコードリーダーに使用されているエリアＣＣＤセンサーは、３０〜５０万画素程度であり、このＣＣＤで高分解能のバーコードを読み取らせるための大きな視野を確保することができない。従って、高密度で情報量の多いバーコード、非常に長いバーコード、非常に大きなバーコードは、読み取ることができない。もし、最大桁数がＣＣＤのエリアに入ったとしても、解読には非常に時間がかかり、バーコードに当てても瞬時に読み取るのではなく、バーコードに当てて１秒以上待たなければ読み取れないような現象が出てきてしまい実用的でない。なお、最大文字数とは、バーコードの規格で理論上作成できる最大の文字数であり、実際に使用できる文字数ではない。即ち、使用するバーコード体系を決定する場合、前記表１を参照して最大に読み取れるバーコード体系を採用しても、実際には使用できないケースが出てくる。
【００５４】
また、実施形態以外での２次元バーコードの使用例を以下に示す。ＰＤＦ４１７は、書類、荷札、自動車免許証、パスポート等で使用されていることが多い。データマトリックスは、商品、半導体、薬、部品、宝石タグ等に使用されている場合が非常に多い。これは、バーコードの大きさが非常に小さくできるからである。データマトリックスは、ＰＤＦ４１７とは異なり、商品や製品等に印刷、レーザーマーキングされている使用例が非常に多い。ＱＲコードは、日本で作られたコード体系であり、ＰＤＦ４１７とデータマトリックスに比べると規格化されたのが遅いので、世界的に使用されているケースは非常に少ない。唯一日本では、使用されているケースが増えている。
【００５５】
最後に、各種２次元バーコードの特徴をまとめると、ＰＤＦ４１７は、汚れに強く書類での使用が多い。データマトリックスは、一番小さく印刷できるので、小さな商品や製品に印刷する場合が多い。ＱＲコードは、高速読み取りができるので、ベルトコンベア等での使用が有利である。
【００５６】
次に、遊技盤４０と該遊技盤４０面上に設けられる各種導電性部材について図１３、図１９乃至図２９を参照して説明する。先ず、遊技盤４０の表面には、図１９に示すように、イラスト等が描かれる装飾用の化粧板４０ａが敷設され、その下層側には、各クラフト紙４０ｂ，４０ｄ間に挟装された状態で導電性を有するカーボン紙４０ｃ（導電接続部材）が全面的に設けられている。なお、化粧板４０ａは、装飾用のデザインを印刷したメラミン樹脂板から構成されるものであるが、その材料は特に限定するものではない。化粧板４０ａ面上には、円形うず巻き状に外レール４２ａと内レール４２ｂとからなる誘導レール４２が取り付けられる。そして、誘導レール４２の内側が、図１３に示すように、遊技領域４１として形成され、前記発射レール１６５から発射される遊技球が、外レール４２ａの内側に沿って外レール４２ａと内レール４２ｂで仕切られる遊技領域４１に誘導される。内レール４２ｂの左上端部分には、一旦遊技領域４１に侵入した遊技球が跳ね返りによって再度発射位置方向へ戻るバック球を防止するためのバック球防止部材３７が設けられ、内レール４２ｂの右上端部分と外レール４２ａの右側端部分との繋ぎ部分には、その繋ぎ部分を装飾的に被覆するための装飾部材３８が設けられている。なお、この装飾部材３８内には球受けゴム等を設けたりする。
【００５７】
ところで、上記した導電接続部材としてのカーボン紙４０ｃの取付方法は、化粧板４０ａを遊技盤４０の表面に取り付ける方法と同様に接着によって行われる。そして、外レール４２ａと内レール４２ｂを各取付ピン４３ａ，４３ｂによって遊技盤４０面上に植立する。これにより、外レール４２ａと内レール４２ｂとは、カーボン紙４０ｃを介して相互間で電気的に接続される。即ち、外レール４２ａと内レール４２ｂとを遊技盤４０に取り付けるだけで簡単に外レール４２ａと内レール４２ｂとの電気的接続が行える。また、このような構成によれば、遊技盤４０面上に植立される各誘導釘もカーボン紙４０ｃを介して外レール４２ａ及び内レール４２ｂと電気的に接続される。このため、誘導釘を誘導レール４２（外レール４２ａ、内レール４２ｂ）乃至発射レール１６５と同電位に設定することができる。
【００５８】
なお、実施形態中では、導電接続部材としてカーボン紙４０ｃを用いているが、導電接続部材の形状や材質は、特に限定するものではなく、バッカー紙を導電接続部材として用いてもよい。バッカー紙は、クラフト紙等の紙材からなる基材にフェノール樹脂等を含浸させ、カーボン等の非金属、ニッケル、コバルト、スズ、銀、銅、アルミ等の金属単体、あるいは真鍮等の合金等の粉粒体を導電性物質として含有した紙である。また、メッキされた合成樹脂のフィルムシートや金属メッシュの織物シート（布）などの導電性を有するシート部材を本発明の導電接続部材として用いてもよいし、シート以外にも導電性を有する接着剤等を導電接続部材として用いてもよい。また、実施形態中では、導電接続部材を化粧板と別体に設けているが、化粧板（主にセルロイドなどの合成樹脂などを用いる）に導電加工を施して導電性を持たせることで、化粧板に導電接続部材の機能を持たせるようにしてもよい。この場合、台紙にメラミン樹脂等を含浸させて化粧板を作るものであれば、その台紙にカーボン紙などを使ってもよい。
【００５９】
次に、外レール４２ａ、内レール４２ｂ、及び発射レール１６５について、図１３、図２０（Ａ）（Ｂ）乃至図２４を参照して説明する。外レール４２ａ、内レール４２ｂ、及び発射レール１６５は、それぞれ導電性を有する部材からなり、外レール４２ａと発射レール１６５との間には、各レール４２ａ，１６５を相互間で接続する導電性を有する金属接続片２１０が設けられ、外レール４２ａと内レール４２ｂとの間には、各レール４２ａ，４２ｂを相互間で接続する導電性を有する金属接続片２２０が設けられている。なお、実施形態中では、外レール４２ａ、内レール４２ｂ、発射レール１６５、及び各金属接続片２１０，２２０をステンレスで成形することで、各構成部材を導電性を有する部材としている。但し、材料はステンレスに限らず、いずれの導電材料で成形してもよい。
【００６０】
外レール４２ａは、図１３に示すように、ほぼＣ字状をなし、その下端部分は、前記発射球誘導板１７２の配置位置まで延びると共に、逆くの字状に折曲されて当接面部２３０として形成されている。この当接面部２３０は、図２０（Ａ）に示すように、遊技盤４０と前面枠３の支持板部１６３との境界部分に配され、金属接続片２１０の上端部分に形成された上部当接面部２１１と当接される。また、金属接続片２１０には、図２１に示すように、その右側上端部分に接続片部２１２が形成され、左側下端部分に当接片部２１４が形成されている。接続片部２１２は、発射レール１６５の左端部分とビス２１３止めされることで、外レール４２ａと発射レール１６５とを金属接続片２１０を介して電気的に接続するようになっている。また、当接片部２１４は、前面枠３の支持板部１６３に穿設された排出口１７０内に入って該排出口１７０の裏面側に取り付けられる前記接続樋１５と当接することで、接続樋１５と金属接続片２１０とを電気的に接続するようになっている。なお、実施形態中では、レール導電部材（金属接続片２１０）を発射レールにビス止めした構成としているが、これに限らず、レール導電部材を発射レールに電気的に接続したものであればよい。
【００６１】
ここで、上記した金属接続片２１０を介した外レール４２ａと発射レール１６５との接続手順について説明すると、先ず、図２１及び図２２に示すように、前面枠３の支持板部１６３に発射レール１６５をビス２１５止めする（図２２中には、遊技盤４０が描かれているが、この状態ではまだ前面枠３に遊技盤４０は取り付けられていない）。次に、図２３に示すように、接続片部２１２を発射レール１６５にビス２１３止めすることで、金属接続片２１０が発射レール１６５と電気的に接続された状態で支持板部１６３に取り付けられる。また、このとき、金属接続片２１０は、当接片部２１４が排出口１７０内に入って接続樋１５と接続された状態となる。そして、このように金属接続片２１０が取り付けられた前面枠３に対して、その裏面側から遊技盤４０が取り付けられることで、外レール４２ａの当接面部２３０と金属接続片２１０の上部当接面部２１１とが自ずと当接されて電気的に接続された状態となる。なお、金属接続片２１０の上部当接面部２１１は、多少外側に傾いた形状に折曲形成されており、これによって外レール４２ａの当接面部２３０と金属接続片２１０の上部当接面部２１１との当接がより確実に行われるようになっている。その後は、図２４に示すように、当接面部２３０と上部当接面部２１１との当接部分を発射球誘導板１７２で覆い隠すような状態で誘導ボックス部材１６４が支持板部１６３にビス止めして取り付けられる。
【００６２】
一方、外レール４２ａの右側端部分は、前述したように内レール４２ｂの右上端部分との繋ぎ部分が装飾部材３８によって被覆されるものであるが、その被覆部分には、図２０（Ｂ）に示すように、各レール４２ａ，４２ｂを相互間で接続する金属接続片２２０が設けられる。金属接続片２２０は、金属片が断面コの字状に折曲されたものであり、その左右の折曲部分が各レール４２ａ，４２ｂとの当接面部２２１，２２２となる。そして、各レール４２ａ，４２ｂが対向する部分に金属接続片２２０が介在されることで、外レール４２ａと当接面部２２１とが当接される一方、内レール４２ｂと当接面部２２２とが当接され、これによって外レール４２ａと内レール４２ｂとが金属接続片２２０を介して電気的に接続される。なお、外レール４２ａと内レール４２ｂとは、それぞれ遊技盤４０面上で垂直に立設される。これに対して、金属接続片２２０の当接面部２２１，２２２は、多少外側に傾いたハの字状に折曲形成される。このため、各レール４２ａ，４２ｂ間に金属接続片２２０を介在させることで、ハの字状に折曲された当接面部２２１，２２２が確実に各レール４２ａ，４２ｂと当接するようになっている。また、このような外レール４２ａと内レール４２ｂとの接続状態において、装飾部材３８は、その後面側（遊技盤４０面側）に形成された収容凹部３３ａ内に各レール４２ａ，４２ｂ及び金属接続片２２０を嵌合状態で収容固定する。これにより、金属接続片２２０を介した各レール４２ａ，４２ｂ間の接続部分が強固に固定でき、然もその接続部分を外部から保護できる。
【００６３】
しかして、上記した外レール４２ａ、内レール４２ｂ、及び発射レール１６５は、各金属接続片２１０，２２０を介して相互に接続されて電気的に導通した状態、言い換えれば同電位状態となる。また、内レール４２ｂの左上端部分に取り付けられるバック球防止部材３７には、後述する導電性を有する弾性薄片２５３（実施形態中では、金属）が設けられ、その先端部分が外レール４２ａと接するようになっている。これにより、外レール４２ａと弾性薄片２５３との電気的な導通が行われるようになっている。なお、後述するが、この弾性薄片２５３は、内レール４２ｂとも電気的に導通する。
【００６４】
そこで、バック球防止部材３７の詳細な構成について、図２５（Ａ）（Ｂ）を参照して説明する。遊技領域４１の構成は、概ね上記した構成であるが、更に遊技盤４０には、図２５（Ａ）に示すように、内レール４２ｂの左上端部の内側にバック球防止部材３７を位置決め固定するための位置決め穴２５０と止着穴２５１とが形成されている。位置決め穴２５０は、止着穴２５１を挟んで２つ形成されている。位置決め穴２５０と止着穴２５１に取り付けられるバック球防止部材３７は、図２５（Ａ）（Ｂ）に示すように、遊技盤４０に取り付けられる取付ホルダー２５２と、該取付ホルダー２５２に装着される金属製の弾性薄片２５３とから構成されている。
【００６５】
取付ホルダー２５２は、前記内レール４２ｂの幅（遊技盤４０からの高さ寸法）とほぼ同じ厚みを有する先端が尖った舟状の形状を有し、その中央に上下方向に貫通するビス穴２５４が形成され、また、底面両端に下方に向かって位置決めボス２５５が突設されている。しかして、この位置決めボス２５５を前記位置決め穴２５０に係合させることにより、一義的にバック球防止部材３７の遊技盤４０への取付の正確性が確保されると共に、その取付の容易性も確保される。ただし、本実施形態においては、次に説明するように、レール係合部２５６に形成されるレール係合溝２５７と内レール４２ｂの上辺縁との係合により、更にその正確性及び容易性が増加される。なお、前記ビス穴２５４は、前記止着穴２５１に対応するもので、ビス２５８を自動機又はロボットで螺着することによりバック球防止部材３７を遊技盤４０に固定するようになっている。
【００６６】
また、取付ホルダー２５２の両側面は、一方が内レール４２ｂの曲率に合致した緩やかな曲面２５９（以下、この曲面をレール当接曲面２５９という）であるのに対し、他方は、先端（上端）に向かうにしたがって曲率が大きくなる曲面２６０（以下、この曲面を薄片当接曲面２６０という）として構成されている。そして、レール当接曲面２５９は、取付ホルダー２５２のほぼ全長に亘って形成されているのに対し、薄片当接曲面２６０は、その後端（下端）部よりに形成された切欠部２６１によって終了している。
【００６７】
ところで、前記レール当接曲面２５９の上面縁に沿ってレール係合溝２５７が形成されたレール係合部２５６が側方に向かって突設形成され、バック球防止部材３７を遊技盤４０に止着する際に、該レール係合溝２５７を内レール４２ｂの上辺縁に嵌入することができるようになっている。これにより、バック球防止部材３７の遊技盤４０への取付の正確性及び容易性が更に増加される。また、レール当接曲面２５９の底面中央部に切欠凹部２６２が形成されている。この切欠凹部２６２は、内レール４２ｂを遊技盤４０に止着して内レール４２ｂの基部で左右に突出しているレール止めピン２６３の頭部を収容するためのものであり、これによって、取付ホルダー２５２を内レール４２ｂに密着して取り付け得るようになっている。
【００６８】
一方、薄片当接曲面２６０側の後端部には、前記したように切欠部２６１が形成され、この切欠部２６１に連続するように取付ホルダー２５２の後端部に薄片装着空間２６４が形成されている。この薄片装着空間２６４は、図２５（Ｂ）の裏返し図面に示されるように、ほぼＵ字状に形成されており、弾性薄片２５３の後述する巻き部２６５が密着して収納される形状となっている。また、薄片装着空間２６４の中心には、ボス２６６が突設され、装着された弾性薄片２５３の抜け防止を図っている。なお、薄片当接曲面２６０には、弾性薄片２５３の幅とほぼ同じ距離を置いて上下に内側に向かってテーパー面が形成された規制突部（図示しない）を形成しても良い。この規制突部を形成することにより、装着された弾性薄片２５３の上下方向のずれを防止することができると共に、弾性薄片２５３が大きく振動してもテーパー面によって所定の位置に戻るようになっている。
【００６９】
上記した構成からなる取付ホルダー２５２に装着される弾性薄片２５３は、肉厚の薄い鋼製の薄板（厚さ約０．５ｍｍ）又は導電性合成樹脂製の薄板でほぼ長方形状に形成され、その基部が前記薄片装着空間２６４の内部形状に沿ったＵ字状に曲折された巻き部２６５となっている。従って、この巻き部２６５を取付ホルダー２５２の裏面から前記薄片装着空間２６４の挿入すると同時に前方部を前記切欠部２６１から外に出して前記薄片当接局面２６０に沿わせることにより、弾性薄片２５３を取付ホルダー２５２に装着することができる。このようにして、弾性薄片２５３を装着した取付ホルダー２５２を前述した止着方法で内レール４２ｂの上端部に取り付けたときには、図２５（Ａ）に示すように、弾性薄片２５３の先端が外レール４２ａまで到達し（弾性薄片２５３の先端が外レール４２ａと当接し）、遊技領域４１の入口部４１ａを閉塞した状態となる。
【００７０】
また、弾性薄片２５３の取付ホルダー２５２から突出した部分の底面側には、遊技球の飛走方向に向かって先細りする台形状の誘導穴（図示しない）が形成されている。この誘導穴は、外レール４２ａと内レール４２ｂの間を飛走する遊技球であって、遊技盤４０面より若干浮き上がって飛走する遊技球を捕捉して遊技盤４０面側に向けた安定した状態で遊技領域４１に放出する機能を有すると同時に、弾性薄片２５３自体の弾性力を弱めて、遊技球の勢いへの悪影響を抑制する機能をも有するものである。なお、誘導穴を弾性薄片２５３のほぼ全長に亘って形成しても良い。
【００７１】
また、弾性薄片２５３には、前記薄片当接局面２６０との当接部分のほぼ中間部に接続片部２６７が延設されている。この接続片部２６７は、弾性薄片２５３の本体部分から枝分かれして設けられると共にその基部がＬ字状に折曲されることで、取付ホルダー２５２の前記レール係合溝２５７まで延び、更にそのレール係合溝２５７内に入り込むように上側に折曲されている。しかして、バック球防止部材３７を遊技盤４０に止着する際、レール係合溝２５７を内レール４２ｂに嵌入することで、レール係合溝２５７内に配された接続片部２６７の先端部分が内レール４２ｂと電気的に接続されるようになっている。
【００７２】
上記のように構成されるバック球防止部材３７においては、先ず、取付ホルダー２５２に形成される位置決めボス２５５を遊技盤４０の位置決め穴２５０に係合させることにより、バック球防止部材３７の遊技盤４０への取付の正確性及び容易性が確保されると共に、その位置決めにより自動機やロボットによる取付生産方式が可能となる。特に、本実施形態においては、上記位置決めボス２５５だけによる位置決めだけでなく、レール止めピン２６３と切欠凹部２６２とによる位置決め、及び外レール４２ａの上辺縁とレール係合部２５６のレール係合溝２５７との係合による位置決めによって、上記した取付の正確性及び容易性の増進を図ることができる。
【００７３】
また、バック球防止部材３７においては、弾性薄片２５３が極めて薄い弾性板で形成されているので、遊技球の遊技領域４１への飛走に及ぼす悪影響を大きく抑制することができる。特に、本実施形態における弾性薄片２５３は、その基部を取付ホルダー２５２の下端によって支持されているので、弾性薄片２５３自体の移動できる長さが図２５（Ａ）の破線に示すように長くなり、このため、弾性薄片２５３を押し開くための慣性モーメントが小さくて済むので、遊技球の勢いを弱める度合いを小さくすることとなり、上記した遊技球への悪影響を更に抑制することができるようになっている。
【００７４】
次に、遊技盤４０に植立される障害釘１９０及び風車２００について図２６乃至図２９を参照して説明する。図２６に示すように、化粧板４０ａ、クラフト紙４０ｂ、カーボン紙４０ｃ、クラフト紙４０ｄを順次積層してなる遊技盤４０の表面（遊技領域４１）には、前述した誘導レール４２以外にも導電性を有する障害釘１９０と風車２００とが植立される。風車２００は、図２７に示すように、カーボン入りの導電性樹脂で成形された基体２０１からなり、該基体２０１が金属製の（導電性を有する）導電軸２０２によって遊技領域４１に回動自在に軸支して設けられる。導電軸２０２は、一端に尖部２０２ａが形成される一方、他端に頭部２０２ｂが形成された釘形状をなしている。風車２００の基体２０１は、図２８（Ａ）〜（Ｃ）及び図２９に示すように、中心穴２０３ａが穿設された円盤部２０３と、該円盤部２０３の中心穴２０３ａと連通した筒穴２０４ａを有して円盤部２０３の裏面側に突設された筒状部２０４と、該筒状部２０４の外周壁及び円盤部２０３の裏面壁とひと繋がりに形成された複数（本実施形態では、３つ）の球受片部２０５と、を備えている。そして、円盤部２０３の中心穴２０３ａ及び筒状部２０４の筒穴２０４ａに導電軸２０２を挿通し、この状態で導電軸２０２を遊技領域４１（遊技盤４０表面の化粧板４０ａ面上）に植立することで、基体２０１が導電軸２０２を中心として回動自在に取り付けられる。しかして、風車２００の基体２０１は、遊技領域４１を落下する遊技球が球受片部２０５に衝突するとその衝撃力を受けて回転することにより、遊技球の流下方向及び速度を変化させるようになっている。
【００７５】
ところで、上記した基体２０１は、前述したように導電性樹脂によって成形されている。このため、遊技球が風車２００に衝突する（帯電した遊技球が基体２０１に接触する）等によって、風車２００の基体２０１に静電気が溜まるような場合でも、基体２０１に溜まった静電気を徐々に放電することができる。従って、帯電した風車２００から多大な電荷（静電気）が瞬時に移動することを回避することができ、ひいては風車２００からの静電気の放電に伴う多大なノイズ発生を防止することができる。また、実施形態中では、基体２０１を成形する導電性樹脂をカーボン入りの導電性樹脂としている。このため、基体２０１に溜まった静電気の放電をより一層緩やかにでき、ひいては多大なノイズ発生の防止をより一層招来することができる。なお、導電性樹脂は、多大なノイズ発生を防止する観点から導電率２０5〜２０7Ω／ｃｍのものを用いることが望ましく、その中でも導電率２０6Ω／ｃｍのものを用いることが最も望ましい。但し、特にこの構成に限定するものではない。また、導電性樹脂としては、カーボンを含んだものに限定せず、ステンレス等の金属成分を含んだ導電性樹脂であってもよい。
【００７６】
また、上記した風車２００（基体２０１、導電軸２０２）及び障害釘１９０を遊技盤４０の表面に取り付けた構成において、前述したようにカーボン紙４０ｃが遊技盤４０と化粧板４０ａとの間に介在されている。このため、風車２００及び障害釘１９０は、それぞれカーボン紙４０ｃを介して誘導レール４２と電気的に接続されるようになっている。また、遊技領域４１に設けられる特別可変表示装置４４や普通可変入賞球装置５８等の装置筐体についても、風車２００の基体２０１と同様に導電性樹脂で成形されている。このため、これらの装置筐体についても同様にカーボン紙４０ｃを介して誘導レール４２と電気的に接続されるようになっている。
【００７７】
次に、打球発射装置８７について図３０乃至図３４を参照して説明する。打球発射装置８７は、図３０乃至図３４に示すように、遊技球を打撃して発射する打球槌３００と、該打球槌３００の駆動源をなすステッピングモータ８８と、遊技球の発射毎に球供給装置（図示しない）を作動させて順次遊技球を打球発射装置８７に送り込ませる昇降杵３０２と、打球槌３００による遊技球の遊技球力を調整する発射強度調整部３０３と、該発射強度調整部３０３に前記操作ハンドル３０の回転操作力を伝達する操作伝達部３０４と、ステッピングモータ８８の駆動を制御する発射制御部３０５（発射制御基板９０とこれを収容する基板ボックス８９とから構成される）と、が取付基板３０６に取り付けられて構成されている。取付基板３０６の周縁部には、打球発射装置８７を前面枠３の裏面側にネジ３５４で取り付けるためのネジ止め穴３０７が４箇所に穿設されている。また、取付基板３０６には、各種構成部材を取り付けるための取付穴が複数穿設されると共に、発射強度調整部３０３を構成する各種部材を取り付けるための円筒突起（図示しない）が形成されている。該円筒突起の内部は、取付基板３０６の一側面と他側面の両側を連通する連通穴として形成され、該連通穴を貫通する駆動軸３０９が軸受け（図示しない）により回転自在に支持されている。
【００７８】
打球槌３００は、アーム形状をなし、その一端側には、軸穴３００ａが穿設されると共に後述する昇降杵３０２のロッドローラ３２２と係合する係合部３１０が形成され、打球槌３００の他端には、遊技球を打撃する槌部がバネ３１１によって形成されている。そして、打球槌３００は、その軸穴３００ａに駆動軸３０９の一端部が挿通された状態でワッシャ３５１を介してナット３０８によって固着されることにより、駆動軸３０９を回動中心として回動自在に取付基板３０６に取り付けられる。また、このような打球槌３００の取り付けにおいて、先端部分に回動自在なアームローラ３１２ａを取り付けたヒットアーム３１２が打球槌３００と共に駆動軸３０９に固着され、そのヒットアーム３１２が打球槌３００と一体的に駆動軸３０９を回動中心として回動するようになっている。なお、打球槌３００の図３４中における反時計方向への回転は、杵受ゴム３１３によって規制されるようになっている。該杵受ゴム３１３は、ゴムホルダー３１４を介して取付基板３０６にボルト３１５、ワッシャ３５２、及びナット３５３で固着されている。
【００７９】
ステッピングモータ８８は、取付片部３１６が非導電性の連結部材３０１を介して取付基板３０６にビス３１７ａ，３１７ｂ止めされることで、取付基板３０６とは電気的に接続されない状態で取付基板３０６に取り付けられる。なお、連結部材３０１は、絶縁材料（ゴムや樹脂等）で形成されて非導電性を有するものであればいずれのものであってもよい。ビス３１７ａは、取付片部３１６を連結部材３０１の一端側に螺着するものであり、ビス３１７ｂは、取付基板３０６を連結部材３０１の他端側に螺着するものである。そして、ビス３１７ａ，３１７ｂは、それぞれの先端部分が連結部材３０１内で当接しないように連結部材３０１の両端側に個々に螺着される。なお、ステッピングモータ８８は、モータ主体（図示しない）が全体的に導電性を有するカバー体８８ｂで覆われることで構成されている。また、このような取り付けにおいて、ステッピングモータ８８の出力軸８８ａは、取付基板３０６を貫通した状態で取り付けられる。出力軸８８ａには、ステッピングモータ８８の駆動力をヒットアーム３１２（アームローラ３１２ａ）を介して打球槌３００に伝達する駆動カム３１８が一体的に取り付けられている。
【００８０】
昇降杵３０２は、棒形状のロッド軸３１９と、該ロッド軸３１９の上端部にビス３２０止めされたロッドピン３２１及びロッドバネ（図示しない）と、ロッド軸３１９の下端部に回動自在に取り付けられたロッドローラ３２２、からなり、取付基板３０６にビス３２３止めされた円筒形状のロッドケース３２４にロッド軸３１９が挿通して設けられることで、上下方向にスライド自在に取り付けられる。但し、ロッドバネは、ロッドケース３２４内で上方への移動が規制され、常にロッド軸３１９を下方に付勢するようになっている。そして、昇降杵３０２（ロッド軸３１９）は、打球槌３００が図３４中における時計方向に回転した場合、ロッドバネの付勢力に抗してロッドローラ３２２が係合部３１０で押し上げられることで上方に突出し、ロッドピン３２１が球供給装置を作動させて上皿１９から発射レール１６５上に遊技球を送り込むようになっている。なお、昇降杵３０２が最上部に上がった状態が打球槌３００による遊技球の打ち込み待機状態となる。つまり、昇降杵３０２が一旦上昇してから下降することで遊技球が発射レール１６５上に供給されると共に、打球槌３００が発射方向と反対方向に回動した状態から発射方向に回動することで、発射レール１６５上の遊技球が発射され、誘導レール４２に沿って遊技盤４０の遊技領域に打ち込まれるわけである。
【００８１】
発射強度調整部３０３は、外周の一部にギヤ部３２５ａが形成された回動操作部３２５、ねじれ量によって遊技球の発射強度を調整するコイル状の強度調整バネ３２６、保持キャップ３２７、ラチェットカバー３２８、ラチェットアーム（図示しない）、等から構成されている。回動操作部３２５のギヤ部３２５ａの端には、取付基板３０６に突設された規制突起３３０が当接され、これによって回動操作部３２５の図３３中における反時計方向への回転が規制されるようになっている。また、保持キャップ３２７及びラチェットカバー３２８は、ネジ３３１によって一体的に組み付けられる。
【００８２】
操作伝達部３０４は、一側に連結凹部３３２ａが形成されると共に外周にギヤ部３３２ｂが形成された主動ローラ３３２、外周にギヤ部３３３ａが形成された従動ローラ３３３、各ローラ３３２，３３３のギヤ部３３２ｂ，３３３ａ間に巻架されるギヤベルト３３４、従動ローラ３３３の回転軸に一体的に取り付けられる連結ギヤ３３５、等から構成されている。主動ローラ３３２及び従動ローラ３３３は、それぞれ各ギヤ部３３２ｂ，３３３ａを打球槌３００が取り付けられる取付基板３０６の一側面に配した状態（図３４に示す状態）で取り付けられる。主動ローラ３３２の連結凹部３３２ａには、前記操作ハンドル３０の回転軸（図示しない）が挿入状態で連結される。従動ローラ３３３と一体的に回動する連結ギヤ３３５には、前記回動操作部３２５のギヤ部３２５ａが歯合される。これにより、操作ハンドル３０を回動操作させれば、その回動が主動ローラ３３２、ギヤベルト３３４、従動ローラ３３３、及び連動ギヤ３３５を介して回動操作部３２５に伝達され、回動操作部３２５を回動変位させることができる。そして、このように回動変位した回動操作部３２５は、その回動によって強度調整バネ３２６のねじれ量を調節する。なお、主動ローラ３３２は、ブッシュ３５５及びワッシャ３５７を介して取付基板３０６にビス３５６で回動自在に取り付けられ、従動ローラ３３３は、連動ギヤ３３５と共にビス３５８によって取付基板３０６に回動自在に取り付けられる。
【００８３】
発射制御部３０５は、各種電子部品（ＣＰＵを搭載するものでも、搭載しないものでもよい）及び複数のコネクタ９０ａ〜９０ｄを実装してなる前記発射制御基板９０、該発射制御基板９０を収容する基板ボックス８９、から構成されている。発射制御基板９０のコネクタ９０ｂには、図示しない発射制御電源中継基板からの配線３３７ａが接続され、コネクタ９０ｄには前記ステッピングモータ８８からの配線３３７ｂが接続され、コネクタ９０ａには図示しない発射制御信号中継基板からの配線３３７ｃが接続され、コネクタ９０ｃには操作ハンドル３０からの配線３３７ｄが接続される（図３２参照）。
【００８４】
上記した発射制御基板９０を収容する基板ボックス８９は、図３０に示すように、前記取付基板３０６にビス３３８止めされるボックス主体３４１と、該ボックス主体３４１に取り付けられてボックス主体３４１との間で発射制御基板９０を挟持するカバー体３４２と、を備えている。ボックス主体３４１及びカバー体３４２は、それぞれ収容する発射制御基板９０を外部から視認可能なように透明な合成樹脂で形成されている。ボックス主体３４１の上側左右２箇所及び下端左右２箇所には、それぞれ脚部３４３ａ〜３４３ｄが立設されており、該脚部３４３ａ〜３４３ｄの先端部分には、ボックス主体３４１を取付基板３０６にビス３３８止めするための取付穴３４４ａ〜３４４ｄが穿設されている。なお、取付基板３０６側には、これらの取付穴３４４ａ〜３４４ｄと個々に対応した位置に取付穴３０６ａ〜３０６ｄが穿設されている（図３３参照）。また、脚部３４３ａ〜３４３ｄはそれぞれ円筒形状をなし、その円筒内にビス３３８を挿入することで、ボックス主体３４１側から取付基板３０６にビス３３８止めを行うようになっている。このため、本実施形態のように取付面部を打球発射装置８７の取付基板３０６から構成するような場合でも、取付基板３０６を弾球遊技機１から取り外すことなく、基板ボックス８９の取り外しを行うことができる。
【００８５】
そして、ボックス主体３４１（基板ボックス８９）は、前記ステッピングモータ８８及び前記発射強度調整部３０３を取り付けた取付基板３０６の一側面に脚部３４３ａ〜３４３ｄを介して取り付け固定される。このため、基板ボックス８９内に収容される発射制御基板９０は、取付基板３０６の基板面（取付面）から所定の間隔（脚部３４３ａ〜３４３ｄの高さ）を置いた状態（浮いた状態）で取り付けられることになる。従って、ステッピングモータ８８周りの空気の流動性が向上でき、ステッピングモータ８８の発熱が低減できると共に、ステッピングモータ８８からのノイズや熱による悪影響を発射制御基板９０が受け難くすることができる。また、このような取り付け構造によれば、取付基板３０６にそのまま発射制御基板９０の大きさの取付スペースを設ける必要がないので、発射制御基板９０の配置設計において省スペース化を招来することができる。なお、基板ボックス８９を取り付ける取付面部は、打球発射装置の取付基板に限定せず、打球発射装置に関わらない弾球遊技機の裏面部分であってもよい。但し、実施形態中のように、基板ボックス８９を打球発射装置８７（取付基板３０６）に取り付けた構成とした方が、より一層の省スペース化を招来することができる。
【００８６】
また、ボックス主体３４１の上側左右２箇所に立設された脚部３４３ａ，３４３ｂの上辺部分には、それぞれボックス主体３４１（基板ボックス８９）を取付基板３０６に取り付けた状態で、ステッピングモータ８８及び発射強度調整部３０３の一部分を被覆する被覆片３４５ａ，３４５ｂが形成されている。ボックス主体３４１の内壁面には、複数の位置決め片３４６が形成されており、該位置決め片３４６は、カバー体３４２との間で発射制御基板９０を挟持する際、その先端部分で発射制御基板９０の基板面と当接することで、基板ボックス８９内における発射制御基板９０の位置決めを行うようになっている。
【００８７】
ボックス主体３４１の外周壁部分には、発射制御基板９０の各コネクタ９０ａ〜９０ｄと対応する位置及び大きさに形成された切欠部３４７ａ〜３４７ｄと、カバー体３４２を取り付けるための係止溝３４８と、が穿設されており、切欠部３４７ａ〜３４７ｄは、ボックス主体３４１とカバー体３４２の組み付け状態で各コネクタ９０ａ〜９０ｄの接続用開口となる。ボックス主体３４１の上壁上面には、前記配線３３７ｃをまとめるための配線押え爪３４９ａ〜３４９ｄが個々に所定間隔を置いて形成されている（図３２参照）。なお、配線押え爪３４９ａ，３４９ｃの先端部分は後方側に向いて形成される一方、配線押え爪３４９ｂ，３４９ｄの先端部分は前方側に向いて形成されている。即ち、配線押え爪３４９ａ〜３４９ｄによる配線３３７ｃの押さえ込みは、交互で前後方向に切り換っている。このため、複数の配線押え爪を設けたにも拘わらず一方向でのみ配線を押さえ込む構成に比べて、配線の収束を強固にすることができ、ひいては配線の保護及びコネクタの抜け防止を招来することができる。
【００８８】
一方、カバー体３４２には、前記ボックス主体３４１の係止溝３４８との係合によってカバー体３４２をボックス主体３４１に着脱可能に取り付ける係合突起３５０が形成されている。また、カバー体３４２は、発射制御基板９０の外形形状とほぼ同一の大きさで形成されて発射制御基板９０を内嵌するようになっている。即ち、発射制御基板９０を基板ボックス８９内に収容する際には、先ず、発射制御基板９０をカバー体３４２に内嵌し、そのカバー体３４２を係合突起３５０と係止溝３４８の係合によってボックス主体３４１に取り付けることで、発射制御基板９０が基板ボックス８９内に収容される。なお、このような係合突起３５０及び係止溝３４８の係合部を設けることで、カバー部材３４２を基板ボックス８９として組み付ける際の組み付け作業が容易になる。また、発射制御基板９０の基板ボックス８９内への収容は、カバー体３４２とボックス主体３４１との挟持によって行われるため、発射制御基板９０をビス止めする必要がなく、基板ボックス８９に対する発射制御基板９０の着脱作業が容易になる。そして、発射制御基板９０を収容した基板ボックス８９を前述したように取付基板３０６にビス３３８止めすることで、発射制御基板９０が打球発射装置８７の構成部材として組み付けられる。しかして、基板ボックス８９を一旦取付基板３０６から取り外さなければ、カバー体３４２をボックス主体３４１から取り外すことができない構成となるので、発射制御基板９０の不正改造をしずらくでき、発射制御基板９０に対する不正が防止できる。
【００８９】
以上、打球発射装置８７の構成について説明したが、打球発射装置８７による遊技球の発射動作は以下に示すように行われる。即ち、遊技者が操作ハンドル３０を操作するとこれに伴ってステッピングモータ８８が駆動し、駆動カム３１８が図３４中における反時計方向へ回転する。次に、駆動カム３１８の回転によってヒットアーム３１２並びに打球槌３００を図３４中における時計方向へ回転させると、発射強度調整部３０３の強度調整バネ３２６をさらにねじれ変化させることになる。その後、駆動カム３１８がさらに回転して駆動カム３１８がヒットアーム３１２（アームローラ３１２ａ）から離脱すると、ヒットアーム３１２並びに打球槌３００は、強度調整バネ３２６の復原力によって駆動軸３０９と共に反時計方向に回転する。そして、反時計方向に回転した打球槌３００は、昇降杵３０２の作動によって球供給装置から送り込まれた遊技球を槌部（バネ３１１）で打撃して遊技領域に発射させる。また、このとき、操作ハンドル３０の回動操作部２９ａの操作によって発射強度調整部３０３の回動操作部３２５を回動させれば、打球槌３００の後退駆動（時計方向への回転）に伴う強度調整バネ３２６のねじれ量を調節することができる。つまり、打球槌３００の打撃力（発射力）を調節することができる。
【００９０】
また、上記した打球発射装置８７の構成において、打球発射装置８７（取付基板３０６）を前面枠３の裏面側にネジ３５４で取り付けるための４つのネジ止め穴３０７のうち、左側下端のネジ止め穴３０７には、放電用配線３５９の一端がネジ３５４によって共締めして取り付けられるようになっている（図３２及び図３３参照）。そして、放電用配線３５９の他端が前記接続樋１５に接続されることで、取付基板３０６と接続樋１５とが電気的に接続されるようになっている。
【００９１】
次に、以上説明した接触部材及び放電用配線による各種構成部材の電気的な接続構成の総括を図３５及び図３６を参照して説明する。図３５において、先ず、導電性を有する機構板１００の裏面に設けられる貯留タンク１０５及び該貯留タンク１０５から球整列レール部材１０８につながる通路部分の側壁に臨む態様で設けられるタンク用接触部材１５４は、放電用配線１５５を介して補強ヒンジ部材９１に接続される。そして、貯留タンク１０５に貯留された遊技球は、球整列レール部材１０８に誘導される際に、タンク用接触部材１５４と接触する。これにより、タンク用接触部材１５４は、接触した遊技球からその遊技球の帯電している静電気の放電を受ける。また、貯留タンク１０５に貯留される遊技球のうち、タンク用接触部材１５４と直接的に接触していない遊技球であっても、貯留タンク１０５内のいずれかの遊技球がタンク用接触部材１５４に接触しており、そして、貯留タンク１０５内では、遊技球同士が接触して貯留されていることにより全ての球が相互に導通状態にある。このため、貯留タンク１０５に貯留される球は、タンク用接触部材１５４と直接的に接触した球のみならず、貯留された全ての球のそれぞれが帯電している静電気を直接的又は間接的にタンク用接触部材１５４に放電することになる。また、導電性を有する貯留タンク１０５には、放電用配線１５５がビス止めにより接続されている。このため、貯留タンク１０５及びタンク用接触部材１５４が受けた静電気は、放電用配線１５５を介して放電電流として補強ヒンジ部材９１に流れる。
【００９２】
また、機構板１００に設けられる上皿誘導用接触部材１３５及び下皿誘導用接触部材１３４は、放電用配線１５６を介して補強ヒンジ部材９１に接続される。上皿誘導用接触部材１３５は、球払出装置１１６から払い出された遊技球を賞球払出口２０へ誘導するために湾曲した形状をなし、球払出装置１１６から払い出された遊技球を賞球払出口２０へ誘導する賞球通路１２６の底面上に取り付けられる部分と、余剰球通路１２８の一側の側壁部に取り付けられる部分とを含む。従って、球払出装置１１６から払い出された遊技球は、上皿１９が満杯でない場合には全て上皿誘導用接触部材１３５に接触し、また、上皿１９が満杯である場合でも上皿誘導用接触部材１３５に接触する。これにより、上皿誘導用接触部材１３５は、接触した遊技球からその遊技球に帯電している静電気の放電を受ける。一方、下皿誘導用接触部材１３４は、余剰球通路１２８の底面上に取り付けられる。従って、余剰球通路１２８に誘導された遊技球は、下皿誘導用接触部材１３４に接触する。これにより、下皿誘導用接触部材１３４は、接触した遊技球からその遊技球に帯電している静電気の放電を受ける。そして、上皿誘導用接触部材１３５及び下皿誘導用接触部材１３４のそれぞれが受けた静電気は、放電用配線１５６を介して放電電流として補強ヒンジ部材９１に流れる。なお、機構板１００の裏面には、上記した構成以外にも、球払出装置１１６（図３５中には、払出装置と記載）が取り付けられ、この球払出装置１１６のケースが機構板１００（機構板主体１０１）と同様に導電性樹脂で成形されている。このため、球払出装置１１６内の遊技球は、球払出装置１１６のケースに放電することになる。そして、球払出装置１１６のケースが受けた静電気は、機構板主体１０１を介して放電電流として補強ヒンジ部材９１に流れる。
【００９３】
また、上記した補強ヒンジ部材９１は、前面枠３に対しての機構板１００の取り付けにおいてヒンジ金具８５と係合することで、該ヒンジ金具８５と電気的に接続されるようになっている。そして、このヒンジ金具８５には、導電性を有する接続樋１５（図３５中には、誘導樋と記載）と上皿１９に設けられる上皿用接触部材２８４とが個々に電気的に接続されるようになっている。接続樋１５は、放電用配線２４０を介してヒンジ金具８５に接続される。また、接続樋１５は、該接続樋１５に入った遊技球に接触し、遊技球に帯電している静電気を受ける。そして、接続樋１５が受けた静電気は、放電用配線２４０を介してヒンジ金具８５に流れ、最終的にはヒンジ金具８５と係合する補強ヒンジ部材９１に放電電流として流れる。一方、上皿１９の整列部２８３に延在する態様で設けられる上皿用接触部材２８４は、放電用配線２４５、連結蝶番１６１、及び放電用配線２４３を介してヒンジ金具８５に接続される。そして、上皿１９に貯留された遊技球は、整列部２８３により誘導される際に上皿用接触部材２８４と必ず接触する。これにより、上皿用接触部材２８４は、接触した遊技球からその遊技球に帯電している静電気の放電を受ける。また、上皿１９に貯留された遊技球のうち、上皿用接触部材２８４と直接的に接触していない遊技球であっても、上皿１９内のいずれかの遊技球が上皿用接触部材２８４に接触しており、上皿１９内では、遊技球同士が接触して貯留されることにより全ての遊技球が相互に導通状態になる。このため、上皿１９に貯留された遊技球は、上皿用接触部材２８４と直接的に接触した遊技球のみならず、貯留された全ての遊技球のそれぞれが帯電している静電気を直接的又は間接的に上皿用接触部材２８４に放電することになる。そして、上皿用接触部材２８４が受けた静電気は、放電用配線２４５、連結蝶番１６１、及び放電用配線２４３を介してヒンジ金具８５に流れ、最終的にはヒンジ金具８５と係合する補強ヒンジ部材９１に放電電流として流れる。
【００９４】
また、上記した接続樋１５は、該接続樋１５と同様に前面枠３に取り付けられる下皿１９の下皿用接触部材２７５、打球発射装置８７を構成する取付基板３０６、及び金属接続片２１０（図３５中には、レール導電部材と記載）と電気的に接続されるようになっている。下皿用接触部材２７５は、下皿２７における賞球誘導筒部２７４の底面上に取り付けられる。また、前述した余剰球通路１２８を流下した遊技球は、接続樋１５で受けられ、接続樋１５から賞球誘導筒部２７４に誘導されて下皿２７に排出される。従って、下皿２７に貯留されていく遊技球は、全て下皿用接触部材２７５に接触する。これにより、下皿用接触部材２７５は、接触した遊技球からその遊技球に帯電している静電気の放電を受ける。そして、下皿用接触部材２７５が受けた静電気は、接続樋１５に流れ、最終的には補強ヒンジ部材９１に放電電流として流れる。また、打球発射装置８７の取付基板３０６は、放電用配線３５９を介して接続樋１５に接続される。そして、取付基板３０６が受けた静電気は、接続樋１５に流れ、最終的には補強ヒンジ部材９１に放電電流として流れる。なお、遊技球を打ち込む打球槌３００は、取付基板３０６と電気的に接続された状態にある。このため、打球槌３００が受けた静電気は、取付基板３０６が受けた静電気と同様にして補強ヒンジ部材９１に放電電流として流れるようになっている。また、打球発射装置８７の構成部材のうち最も静電気を受け易いステッピングモータ８８（導電性のカバー体８８ｂ）は、非導電性の連結部材３０１を介して取付基板３０６に取り付けられるようになっている。このため、取付基板３０６（及び打球槌３００）は、比較的静電気を受け難い構成となっている。
【００９５】
また、上記した金属接続片２１０は、前面枠３に取り付けられる発射レール１６５及び遊技盤４０に植立される誘導レール４２（直接的には、外レール４２ａ）と電気的に接続されるようになっている。また、誘導レール４２を植立した遊技盤４０の表面側には、カーボン紙４０ｃが敷設されており、これによって、遊技盤４０表面に設けられる導電性部材（障害釘１９０、風車２００、導電性樹脂で成形された特別可変表示装置４４や普通可変入賞球装置５８等の装置筐体等）は、カーボン紙４０ｃを介して誘導レール４２に接続される。従って、発射レール１６５、誘導レール４２、及び遊技盤４０面上の導電性部材は、それぞれ電気的に接続された状態となる。そして、発射レール１６５、誘導レール４２、及び遊技盤４０面上の導電性部材が受けた静電気は、金属接続片２１０を介して接続樋１５に流れ、最終的には補強ヒンジ部材９１に放電電流として流れる。
【００９６】
以上のように、本実施形態では、各種接触部材及び放電用配線を設けることで、貯留タンク１０５、機構板１００に形成される球通路（賞球通路１２６や余剰球通路１２８等）、球払出装置１１６、上皿１９、接続樋１５、下皿２７、打球槌３００、発射レール１６５、誘導レール４２、遊技盤４０面上の導電性部材、といった弾球遊技機１内で遊技球が接触し得る部分を全て電気的に接続した構成、言い換えれば、遊技盤４０の前面側及び後面側のいずれにおいても遊技球が接触する部分が全て同電位状態にある構成となっており、弾球遊技機１内で遊技球に帯電した静電気（弾球遊技機１内の静電気）は、全て放電電流として補強ヒンジ部材９１に流れるようになっている。また、遊技球の全ての接触部分という広範囲で同電位状態にしたことで、急激な電位の変化による放電を回避することができ、結果として、遊技者が操作ハンドル３０を握った際に瞬間的に静電気を受けるような不具合を回避することができる。
【００９７】
また、上記したように弾球遊技機１内の全ての静電気が流れ込む補強ヒンジ部材９１は、図３６に示すように、ビス１５７ａ止めされた放電用配線１５７を介して払出制御基板１４４のコネクタ１４４ａに接続されており、該コネクタ１４４ａと導通したコネクタ１４４ｂには、払出制御基板１４４とカードユニット装置３１とを接続するためのカードユニット配線３５が接続されている。なお、カードユニット配線３５は、配線としての導線を多数平行に設けたフラットケーブル型の導線であり、一端がカードユニット装置３１に設けられる配線用のコネクタ３１ａに接続され、他端が弾球遊技機１における払出制御基板１４４に設けられる配線用のコネクタ１４４ｂに接続されている。
【００９８】
カードユニット配線３５を構成する複数本の導線（配線）のうち１本が静電気放電用の配線として用いられる。カードユニット装置３１の電源コード３１ｂには、電源線の他に接地線（接地用の配線）が含まれており、その電源コード３１ｂの差込みプラグ３１ｃ（図４参照）が接地極（接地端子）付きの構成とされている。このため、カードユニット装置３１は、電源コード３１ｂの差込みプラグ３１ｃを、遊技場等に設けられた接地極付きのコンセント（図示しない）に差し込むことにより、電源供給状態にされると共に接地状態にされる。カードユニット配線３５に含まれる電気放電用の配線は、カードユニット装置３１の内部において、カードユニット装置３１の電源コード３１ｂに含まれる接地線に接続されている。
【００９９】
一方、払出制御基板１４４においては、該払出制御基板１４４に設けられた複数のコネクタの各コンタクト（端子）が払出制御基板１４４に形成されたプリント配線と接続されている。払出制御基板１４４に設けられた複数のコネクタのうちコネクタ１４４ａの２つのコンタクト（端子）は、払出制御基板１４４に形成された放電用のプリント配線と接続される。その放電用のプリント配線は、払出制御基板１４４に設けられた制御用の配線等のその他のプリント配線と接続されることなく、カードユニット配線３５のうちの放電用の配線が接続されるコネクタ１４４ｂのコンタクトに直接的に接続される。これにより、補強ヒンジ部材９１は、放電用配線１５７、払出制御基板１４４のプリント配線、カードユニット配線３５、カードユニット装置３１内の接地用の配線、及び電源コード３１ｂの接地線を介して電気的に接地されている。このため、補強ヒンジ部材９１が受けた静電気は、そのような経路を通り、弾球遊技機１からカードユニット装置３１へ送られ、カードユニット装置３１から外部へ放電される。なお、補強ヒンジ部材９１には、前述したようなアース線１５８（図８参照）も接続されており、該アース線１５８を接地するようにすれば、補強ヒンジ部材９１が受けた静電気は、アース線１５８からも外部に放電されるものである。
【０１００】
以上に示した実施形態によれば、次のような効果を得ることができる。遊技球に帯電した静電気が放電電流として補強ヒンジ部材９１に流れ、その放電電流は、補強ヒンジ部材９１からさらに、放電用配線１５７、払出制御基板１４４のプリント配線、カードユニット配線３５、カードユニット装置３１内の接地用の配線、及び電源コード３１ｂの接地線を介してカードユニット装置３１から外部へ流れる。このような放電電流が流れることにより、弾球遊技機１の内部に帯電した静電気が放電されて除去される。
【０１０１】
また、弾球遊技機１内に帯電する静電気には、前述した遊技球に帯電した静電気のみならず、それ以外に、弾球遊技機１の内部及び外部に存在する駆動装置等の各種電気発生源から発生して弾球遊技機１の内部の各所に帯電した静電気も含まれる。そのように帯電した静電気は、前述した各接触部材を介することなく補強ヒンジ部材９１が受ける場合がある。このように、補強ヒンジ部材９１が直接受けた静電気も、補強ヒンジ部材９１からさらに、放電用配線１５７、払出制御基板１４４のプリント配線、カードユニット配線３５、カードユニット装置３１内の接地用の配線、及び電源コード３１ｂの接地線を介してカードユニット装置３１から外部へ流れる。このような放電電流が流れることにより、弾球遊技機１の内部に帯電した静電気が放電されて除去される。
【０１０２】
このようにカードユニット装置３１を利用して静電気を放電することにより、弾球遊技機１に帯電した静電気の除去を、弾球遊技機１外部での接地配線処理の煩雑な作業を要さずに容易に行うことができる。そして、このような静電気の除去により、静電気に起因するノイズの発生を防ぐことができ、その結果として、弾球遊技機１内の制御回路等の電気機器について、静電気に起因するノイズによる誤動作を防ぐことができると共に、静電気に起因するノイズから保護することができる。
【０１０３】
また、本実施形態では、補強ヒンジ部材９１が受けた静電気を弾球遊技機１からカードユニット装置３１を介して外部へ放電する構成において、弾球遊技機１（具体的には、払出制御基板１４４）に対するカードユニット装置３１の接続状態を主基板１５１で監視するようになっている。具体的には、図３７のフローチャートに示すように、カードユニット装置３１（図３７中には、カードユニットと記載）からのカードユニット配線３５が払出制御基板１４４のコネクタ１４４ｂに接続されているか否かを判別する（Ｓ１）。そして、Ｓ１でカードユニット配線３５が払出制御基板１４４に接続されている場合は、打球発射装置８７（図３７中には、発射装置と記載）による打球発射動作を許可する（Ｓ２）。一方、Ｓ１でカードユニット配線３５が払出制御基板１４４に接続されていない場合は、打球発射装置８７による打球発射動作を不能動化する（Ｓ３）。即ち、カードユニット装置３１が弾球遊技機１に接続されておらず、補強ヒンジ部材９１が受けた静電気、言い換えれば弾球遊技機１内の静電気がカードユニット装置３１を介して外部に放電されない状態では、遊技が行えないように制御するようになっている。
【０１０４】
以上のように、本実施形態の構成によれば、前面枠３に取り付けられて誘導レール４２と電気的に接続可能な導電性のレール導電部材としての金属接続片２１０と、機構部としての機構板１００の球接触部分（例えば、各接触部材１３４，１３５）を電気的に接続するための電気的接続部としてのアース線１５８と、を設け、金属接続片２１０は、遊技盤４０を前面枠３に収容させることで誘導レール４２と電気的に接続され、該接続により誘導レール４２と機構板１００の球接触部分とが電気的に接続されることを特徴とする。このように構成することにより、遊技盤４０を前面枠３に収容するという簡単な作業で、遊技盤４０前面側の球接触部分となる誘導レール４２と遊技盤４０裏面側の球接触部分となる機構板１００の球接触部分とを電気的に接続して、機構板１００の球接触部分と誘導レール４２とを同電位にすることができ、ひいては弾球遊技機１全体としての接地における作業性を向上することができる。
【０１０５】
また、発射される遊技球を誘導レール４２に誘導する導電性の発射レール１６５を備え、該発射レール１６５と金属接続片２１０とを電気的に接続したことを特徴とする。このように構成することにより、発射レール１６５を誘導レール４２と電気的に接続することができるので、遊技球が発射レール１６５から誘導レール４２に移る際の静電気の放電を防止することができる。
【０１０６】
また、前面枠３は、弾球遊技機１の前面に設けられる球貯留部としての下皿２７に払出機構が払い出した遊技球を導く導電性の球誘導部としての接続樋１５を備え、該接続樋１５と金属接続片２１０とを電気的に接続し、かつ接続樋１５と機構板１００の球接触部分とを電気的に接続することにより、接続樋１５を介して金属接続片２１０と機構板１００の球接触部分とを電気的に接続したことを特徴とする。このように構成することにより、誘導レール４２と機構板１００の球接触部分との電気的な接続を、金属接続片２１０及び接続樋１５を介して具現化することができ、ひいては弾球遊技機１の表裏で同電位にできる。然も、この構成によれば、個別に接続用の導電部を設ける必要がないので、部品点数の削減が招来できる。
【０１０７】
また、機構板１００の球接触部分を形成する機構部主体としての機構板主体１０１は、導電性樹脂で成形されていることを特徴とする。このように構成することにより、取り分け機構板１００に導電性の部材を取り付けなくても機構板１００自体に導電性を持たせることができ、ひいては機構板１００の軽量化を招来することができる。
【０１０８】
また、前記導電性樹脂は、ステンレスフィラーを含有した樹脂からなることを特徴とする。このように構成することにより、機構板１００を構成するステンレスフィラーの特性から機構板１００への静電気の流れ込みを徐々に行わせることができ、ひいては急激な電位の変化に起因する急激な放電を防止することができる。
【０１０９】
また、遊技盤４０に導電接続部材としてのカーボン紙４０ｃを設けると共に、導電性を有し遊技領域４１を流下する遊技球が衝突する導電性部材（障害釘１９０、風車２００、導電性樹脂で成形された特別可変表示装置４４や普通可変入賞球装置５８等の装置筐体等）と誘導レール４２とをカーボン紙４０ｃと電気的に接続するように遊技盤４０に取り付けたことを特徴とする。このように構成することにより、遊技領域４１内に打ち込まれた遊技球の静電気もカーボン紙４０ｃ及び誘導レール４２を介して機構板１００のアース線１５８に送り込むことができる。
【０１１０】
なお、上記した実施形態では、特別可変表示装置４４をＬＣＤ表示器で構成しているが、特にこれに限定するものではなく、ＣＲＴ、ＬＥＤ、ＶＦＤ、ＥＬ、あるいはプラズマによる表示器や、ドラム式又はリール式で構成することも可能である。また、弾球遊技機の構成として、始動球検出器の入賞球の検出に伴って可変表示装置での識別情報の変動を開始し、該識別情報が所定の表示結果となると特定遊技状態が発生して可変入賞球装置を開放する弾球遊技機（これを俗に第１種という）を例示しているが、特にこれに限定するものではなく、始動球検出器の入賞球の検出に伴って可変入賞球装置を開放し、該可変入賞球装置内の特定領域への遊技球の入賞により特定遊技状態を発生する弾球遊技機（これを俗に第２種という）や、始動球検出器の入賞球の検出に伴って可変表示装置での識別情報の変動を開始し、該識別情報が所定の表示結果となると権利発生状態となり、この状態で特定領域に遊技球が入賞すると特定遊技状態が発生する弾球遊技機（これを俗に第３種という）であってもよい。
【０１１１】
また、実施形態中では、カードユニット装置３１で使用する記録媒体を磁気カードとしているが、これに限らず、接触型あるいは非接触型のＩＣカードを記録媒体としてもよい。さらに、識別符号等を用いて記録情報を特定できる場合には、バーコード等の所定の情報記録シンボル等が読み取り可能にプリントされた記録媒体でもよい。記録媒体の形状は、カード形状に限定せず、円盤状や球状、チップ状等いずれの形状であってもよい。
【０１１２】
また、実施形態中では、弾球遊技機の横に球貸処理装置としてカードユニット装置を隣接すると共に、該カードユニット装置と弾球遊技機とを電気的に接続することで、カードユニット装置を介して弾球遊技機を接地する構成としているが、弾球遊技機を接地する球貸処理装置は、カードユニット装置に限らず、例えば、現金投入によって貸球を払い出す装置等であってもよい。
【０１１３】
また、実施形態中では、遊技盤を直接的に前面枠に取り付けた構成としているが、これに限らず、遊技盤を機構板に取り付け、その機構板を前面枠に取り付けることで遊技盤を前面枠に収容するようにしてもよい。なお、ここでいう遊技盤の収容とは、取り付け固定する概念は含まず、遊技盤を嵌め込む等して所定の部位に収めることをいう。
【０１１４】
【発明の効果】
以上、説明したところから明らかなように、請求項１の発明においては、遊技領域が形成された遊技盤と、該遊技盤の裏面側に設けられ内部を転動する遊技球と接触可能な導電性の球接触部分を有し且つ遊技球の払出機構を有する機構部と、前記遊技盤を収容する前面枠と、前記遊技盤の前面側に設けられ発射される遊技球を前記遊技領域に誘導する導電性の誘導レールと、発射される遊技球を前記誘導レールに誘導する導電性の発射レールと、を備えた遊技機において、前記前面枠に取り付けられて前記誘導レールと電気的に接続可能な導電性のレール導電部材と、前記機構部の球接触部分を電気的に接続するための電気的接続部と、を設け、前記誘導レールは、一旦前記遊技領域に誘導された遊技球が跳ね返りによって再度発射位置方向へ戻るバック球を防止するためのバック球防止部材を備え、前記レール導電部材は、前記遊技盤を前記前面枠に収容させることで前記誘導レール、前記発射レール、及び前記バック球防止部材と電気的に接続され、該接続により前記誘導レールと前記機構部の球接触部分とが電気的に接続されることを特徴とする。このように構成することにより、遊技盤を前面枠に収容するという簡単な作業で、遊技盤前面側の球接触部分となる誘導レールと遊技盤裏面側の球接触部分となる機構部の球接触部分とを電気的に接続して、機構部の球接触部分と誘導レールとを同電位にすることができ、ひいては遊技機全体としての接地における作業性を向上することができる。また、発射レールを誘導レールと電気的に接続することができるので、遊技球が発射レールから誘導レールに移る際の静電気の放電を防止することができる。
【０１１５】
また、請求項２の発明においては、前記誘導レールは、前記発射レールから発射された遊技球を前記遊技領域へ誘導するための外レールと該外レールと共に前記遊技領域を形成する内レールとによって構成され、前記バック球防止部材の遊技球と接触可能な位置には、導電性の弾性薄片を備え、該弾性薄片により前記内レールと前記外レールとを電気的に接続することを特徴とする。このように構成することにより、内レールと外レールとをバック球防止部材を介して電気的に接続することができると共に弾性薄片を押し開くための慣性モーメントが小さくて済むので、遊技球の勢いを弱める度合いを小さくすることとなり、電気的接続を確保しながら遊技球への悪影響を更に抑制することができる。
【０１１６】
また、請求項３の発明においては、前記前面枠は、前記遊技機の前面に設けられる球貯留部に前記払出機構が払い出した遊技球を導く導電性の球誘導部を備え、該球誘導部と前記レール導電部材とを電気的に接続し、かつ前記球誘導部と前記機構部の球接触部分とを電気的に接続することにより、前記球誘導部を介して前記レール導電部材と前記機構部の球接触部分とを電気的に接続したことを特徴とする。このように構成することにより、誘導レールと機構部の球接触部分との電気的な接続を、レール導電部材及び球誘導部を介して具現化することができ、ひいては遊技機の表裏で同電位にできる。然も、この構成によれば、個別に接続用の導電部を設ける必要がないので、部品点数の削減が招来できる。
【０１１７】
また、請求項４の発明においては、前記機構部の球接触部分を形成する機構部主体は、導電性樹脂で成形されていることを特徴とする。このように構成することにより、取り分け機構部に導電性の部材を取り付けなくても機構部自体に導電性を持たせることができ、ひいては機構部の軽量化を招来することができる。
【０１１８】
また、請求項５の発明においては、前記導電性樹脂は、ステンレスフィラーを含有した樹脂からなることを特徴とする。このように構成することにより、機構部を構成するステンレスフィラーの特性から機構部への静電気の流れ込みを徐々に行わせることができ、ひいては急激な電位の変化に起因する急激な放電を防止することができる。
【０１１９】
また、請求項６の発明においては、前記遊技盤に導電接続部材を設けると共に、導電性を有し前記遊技領域を流下する遊技球が衝突する導電性部材と前記誘導レールとを前記導電接続部材と電気的に接続するように前記遊技盤に取り付けたことを特徴とする。このように構成することにより、遊技領域内に打ち込まれた遊技球の静電気も導電接続部材及び誘導レールを介して機構部の電気的接続部に送り込むことができる。
【図面の簡単な説明】
【図１】  本実施形態に係る弾球遊技機を示す正面図である。
【図２】  弾球遊技機に設けられる遊技盤を示す正面図である。
【図３】  弾球遊技機を示す背面図である。
【図４】  弾球遊技機とカードユニット装置を示す背面斜視図である。
【図５】  主基板と各種制御基板及び電気部品との関係を示すブロック図である。
【図６】  各種構成部材を取り付けた機構板を示す正面斜視図である。
【図７】  貯留タンクを示す斜視図である。
【図８】  補強ヒンジ部材の上側に接続された放電用配線を示す部分拡大斜視図である。
【図９】  補強ヒンジ部材の下側に接続された放電用配線を示す部分拡大斜視図である。
【図１０】  機構板に取り付けられる接触部材及び下部通路カバー体を示す分解斜視図である。
【図１１】  機構板に取り付けられる接触部材とこれに接続される放電用配線とを示す部分拡大斜視図である。
【図１２】  払出制御基板とカードユニット装置とを接続するカードユニット配線を示す部分拡大斜視図である。
【図１３】  遊技盤を取り付けた前面枠を示す正面図である。
【図１４】  下皿と下皿セット板とを示す分解斜視図である。
【図１５】  前面枠に取り付けられるヒンジ金具とこれに接続される接続樋とを示す部分拡大斜視図である。
【図１６】  上皿から延びる放電用配線とこれに接続される連結蝶番とを示す部分拡大斜視図である。
【図１７】  上皿を示す背面斜視図である。
【図１８】  同図（Ａ）（Ｂ）は識別用シールを示す正面図である。
【図１９】  遊技盤表面に設けられたカーボン紙を介して外レールと内レールとが接続された状態を示す縦断面図である。
【図２０】  同図（Ａ）は外レールの当接面部と金属接続片の上部当接面部との当接状態を示す縦断面図であり、同図（Ｂ）は金属接続片を介した外レールと内レールとの接続状態を示す縦断面図である。
【図２１】  前面枠に取り付けられる遊技盤、金属接続片、及び発射レールを示す分解斜視図である。
【図２２】  前面枠の支持板部に取り付けられた発射レールを示す部分拡大正面図である。
【図２３】  前面枠の支持板部に取り付けられた発射レール及び金属接続片を示す部分拡大正面図である。
【図２４】  前面枠の支持板部に取り付けられた発射レール、金属接続片、及び誘導ボックス部材を示す部分拡大正面図である。
【図２５】  同図（Ａ）はバック球防止部材を遊技盤に取り付けた状態を示す正面図であり、同図（Ｂ）はバック球防止部材だけを裏返した状態を示す正面図である。
【図２６】  遊技盤表面に設けられたカーボン紙を介して障害釘と風車とが接続された状態を示す縦断面図である。
【図２７】  風車の基体と導電軸を示す斜視図である。
【図２８】  同図（Ａ）は風車の基体を示す上面図であり、同図（Ｂ）は風車の基体を示す正面図であり、同図（Ｃ）は風車の基体を示す側面図である。
【図２９】  遊技盤に風車を取り付けた状態を示す縦断面図である。
【図３０】  打球発射装置を示す分解斜視図である。
【図３１】  打球発射装置の各種構成部材を示す分解斜視図である。
【図３２】  打球発射装置を示す正面図である。
【図３３】  発射制御基板を取り外した状態の打球発射装置を示す正面図である。
【図３４】  打球発射装置を示す背面図である。
【図３５】  各種構成部材の電気的な接続状態を示す説明図である。
【図３６】  払出制御基板とカードユニット装置との電気的な接続状態を示す説明図である。
【図３７】  カードユニット装置との接続状態に応じた制御処理を示すフローチャートである。
【符号の説明】
１  弾球遊技機（遊技機）
２  外枠
３  前面枠
４  前面開閉枠
１５  接続樋（球誘導部）
１６  識別用シール
１９  上皿
２７  下皿（球貯留部）
３１  カードユニット装置
３１ｃ  差込みプラグ
４０  遊技盤
４０ｃ  カーボン紙（導電接続部材）
４１  遊技領域
４２  誘導レール
８５  ヒンジ金具
８７  打球発射装置
８８  ステッピングモータ
８８ｂ  カバー体
８９  基板ボックス
９０  発射制御基板
９１  補強ヒンジ部材
１００  機構板（機構部）
１０１  機構板主体（機構部主体）
１０５  貯留タンク
１１６  球払出装置
１３４  下皿誘導用接触部材
１３５  上皿誘導用接触部材
１４４  払出制御基板
１５１  主基板
１５８  アース線（電気的接続部）
１６５  発射レール
１９０  障害釘（導電性部材）
２００  風車（導電性部材）
２１０  金属接続片（レール導電部材）
３００  打球槌
３０６  取付基板
３４３ａ〜３４３ｄ  脚部
【図１】
0004748899.tif 000003
【図２】
0004748899.tif 000004
【図３】
0004748899.tif 000005
【図４】
0004748899.tif 000006
【図５】
0004748899.tif 000007
【図６】
0004748899.tif 000008
【図７】
0004748899.tif 000009
【図８】
0004748899.tif 000010
【図９】
0004748899.tif 000011
【図１０】
0004748899.tif 000012
【図１１】
0004748899.tif 000013
【図１２】
0004748899.tif 000014
【図１３】
0004748899.tif 000015
【図１４】
0004748899.tif 000016
【図１５】
0004748899.tif 000017
【図１６】
0004748899.tif 000018
【図１７】
0004748899.tif 000019
【図１８】
0004748899.tif 000020
【図１９】
0004748899.tif 000021
【図２０】
0004748899.tif 000022
【図２１】
0004748899.tif 000023
【図２２】
0004748899.tif 000024
【図２３】
0004748899.tif 000025
【図２４】
0004748899.tif 000026
【図２５】
0004748899.tif 000027
【図２６】
0004748899.tif 000028
【図２７】
0004748899.tif 000029
【図２８】
0004748899.tif 000030
【図２９】
0004748899.tif 000031
【図３０】
0004748899.tif 000032
【図３１】
0004748899.tif 000033
【図３２】
0004748899.tif 000034
【図３３】
0004748899.tif 000035
【図３４】
0004748899.tif 000036
【図３５】
0004748899.tif 000037
【図３６】
0004748899.tif 000038
【図３７】
0004748899.tif 000039